(57)【要約】【課題】より適切に記録媒体の表裏における画像の記録領域のずれを抑制することができる画像記録装置及び画像記録方法を提供する。【解決手段】記録媒体に色材を付与して画像を記録する記録手段と、少なくとも第１の記録画像が複数の印画率パターンの何れに対応するかを判定する判定手段と、当該判定結果に応じて画像記録設定を選択する選択手段と、選択された画像記録設定に基づいて、記録手段により第１の記録画像及び第２の記録画像を記録媒体の一方の面及び他方の面に各々記録させる記録制御手段と、を備え、選択手段は、第１の記録画像が対応すると判定された印画率パターンの対応画像が記録媒体上に記録される場合において、対応画像が記録される対応画像記録領域の変形が所定の第１の条件を満たす画像記録設定を、判定結果に応じた画像記録設定として選択する。【選択図】図７
2017105073.tif 000002
【特許請求の範囲】
【請求項１】
記録媒体に色材を付与して画像を記録する記録手段と、
記録対象の第１の記録画像及び第２の記録画像のうち少なくとも前記第１の記録画像が、記録媒体における記録対象の画像の記録可能領域を区分した複数の領域について、前記色材の付与量に係る印画率の分布を各々規定する異なる複数の印画率パターンの何れに対応するかを判定する判定手段と、
前記判定手段による判定結果に応じて、予め定められた複数の画像記録設定のうち一の画像記録設定を選択する選択手段と、
前記選択された画像記録設定に基づいて、前記記録手段により前記第１の記録画像を記録媒体の一方の面に記録させ、前記第２の記録画像を当該記録媒体の他方の面に記録させる記録制御手段と、
を備え、
前記選択手段は、前記第１の記録画像が対応すると判定された印画率パターンの対応画像が前記記録手段により記録媒体上に記録される場合において、前記対応画像が記録される対応画像記録領域の当該記録による変形が所定の第１の条件を満たす画像記録設定を、前記判定結果に応じた画像記録設定として選択する
ことを特徴とする画像記録装置。
【請求項２】
前記選択手段は、前記対応画像が前記記録手段により記録媒体上に記録される場合において、前記対応画像記録領域の変形が、前記対応画像記録領域を規定する矩形の辺に平行な少なくとも一の方向についての一定の拡大率に係る拡大、及び一定の縮小率に係る縮小の少なくとも一方によるものとなる画像記録設定を、前記判定結果に応じた画像記録設定として選択することを特徴とする請求項１に記載の画像記録装置。
【請求項３】
前記記録手段により記録媒体に記録された画像を読み取る読取手段を備え、
前記記録制御手段は、複数の記録媒体の各々に対して、互いに異なる画像記録設定に基づいて、前記対応画像と、前記対応画像記録領域の範囲を示す対応画像範囲標識とを前記記録手段により記録させ、
当該画像記録装置は、前記複数の記録媒体にそれぞれ記録された前記対応画像範囲標識の前記読取手段による読み取り結果に基づいて、前記対応画像に係る前記印画率パターンに対応する画像記録設定を定める第１の設定手段を備え、
前記選択手段は、前記第１の記録画像が対応すると判定された印画率パターンに対応する画像記録設定を、前記判定結果に応じた画像記録設定として選択する
ことを特徴とする請求項１又は２に記載の画像記録装置。
【請求項４】
前記選択手段は、前記対応画像記録領域の変形が最も抑制される画像記録設定を、前記判定結果に応じた画像記録設定として選択することを特徴とする請求項１〜３の何れか一項に記載の画像記録装置。
【請求項５】
前記判定手段は、前記第１の記録画像が対応する第１の印画率パターン及び前記第２の記録画像が対応する第２の印画率パターンの組み合わせに係る複合印画率パターンを判定し、
前記選択手段は、前記判定された複合印画率パターンに予め対応付けられた画像記録設定を選択し、
前記複合印画率パターンには、当該複合印画率パターンに係る前記第１の印画率パターンの第１の対応画像が前記記録手段により記録媒体の前記一方の面に記録され、前記複合印画率パターンに係る前記第２の印画率パターンの第２の対応画像が前記記録手段により当該記録媒体の前記他方の面に記録される場合において、前記第１の対応画像が記録された第１の対応画像記録領域及び前記第２の対応画像が記録された第２の対応画像記録領域の変形、並びに前記第１の対応画像記録領域と前記第２の対応画像記録領域との当該記録媒体の両面における所定の位置関係からのずれが所定の第２の条件を満たす画像記録設定が予め対応付けられている
ことを特徴とする請求項１に記載の画像記録装置。
【請求項６】
前記記録手段により記録媒体に記録された画像を読み取る読取手段を備え、
前記記録制御手段は、複数の記録媒体の各々における前記一方の面に対して、互いに異なる画像記録設定に基づいて、前記第１の対応画像と、前記第１の対応画像記録領域の範囲を示す第１の対応画像範囲標識とを前記記録手段により記録させ、前記複数の記録媒体の各々における前記他方の面に対して、前記互いに異なる画像記録設定に基づいて、前記第２の対応画像と、前記第２の対応画像記録領域の範囲を示す第２の対応画像範囲標識とを前記記録手段により記録させ、
当該画像記録装置は、前記複数の記録媒体にそれぞれ記録された前記第１の対応画像範囲標識及び前記第２の対応画像範囲標識の前記読取手段による読み取り結果に基づいて、前記複合印画率パターンに対応する前記画像記録設定を定める第２の設定手段を備える
ことを特徴とする請求項５に記載の画像記録装置。
【請求項７】
前記複合印画率パターンには、前記第１の対応画像記録領域及び前記第２の対応画像記録領域の前記変形、並びに前記第１の対応画像記録領域と前記第２の対応画像記録領域との前記ずれが最も抑制される画像記録設定が予め対応付けられていることを特徴とする請求項５又は６に記載の画像記録装置。
【請求項８】
前記記録手段により記録媒体に記録された画像を読み取る読取手段と、
前記記録手段により記録される画像に係る画像データを補正する補正手段と、
を備え、
前記記録制御手段は、前記第１の記録画像と、当該第１の記録画像が記録される記録領域の範囲を示す記録画像範囲標識とを、前記記録手段により前記記録媒体の前記一方の面に記録させ、
前記補正手段は、前記読取手段による前記記録画像範囲標識の読み取り結果に基づいて、前記一方の面において前記第１の記録画像が記録された記録領域と前記他方の面において前記第２の記録画像が記録される記録領域とが当該記録媒体の両面における同一範囲となるように前記第２の記録画像に係る画像データを補正する
ことを特徴とする請求項１〜７の何れか一項に記載の画像記録装置。
【請求項９】
前記複数の画像記録設定は、前記記録手段により記録媒体に記録させる画像の向きに係る設定を含むことを特徴とする請求項１〜８の何れか一項に記載の画像記録装置。
【請求項１０】
前記複数の画像記録設定は、前記記録手段により画像を記録させる記録媒体の向きに係る設定を含むことを特徴とする請求項１〜９の何れか一項に記載の画像記録装置。
【請求項１１】
前記複数の画像記録設定は、前記一方の面及び前記他方の面にそれぞれ記録される記録対象の画像の入れ替えの有無を示す設定を含むことを特徴とする請求項１〜１０の何れか一項に記載の画像記録装置。
【請求項１２】
前記第１の記録画像及び前記第２の記録画像は、記録媒体上の一の記録領域に対して割り付けがなされた複数の通常画像を含み、
前記複数の画像記録設定は、前記一の記録領域における前記複数の通常画像の割り付け位置に係る設定を含む
ことを特徴とする請求項１〜１１の何れか一項に記載の画像記録装置。
【請求項１３】
記録媒体に色材を付与して画像を記録する記録手段と、
前記記録手段により記録媒体に記録された画像を読み取る読取手段と、
複数の記録媒体の各々に対して、互いに異なる画像記録設定に基づいて、記録対象の第１の記録画像と、記録媒体における前記第１の記録画像が記録される第１の記録画像記録領域の範囲を示す第１の記録画像範囲標識とを前記記録手段により記録させる記録制御手段と、
前記複数の記録媒体にそれぞれ記録された前記第１の記録画像範囲標識の前記読取手段による読み取り結果に基づいて一の画像記録設定を定める設定手段と、
を備え、
前記一の画像記録設定は、前記第１の記録画像が前記記録手段により記録媒体上に記録される場合における前記第１の記録画像記録領域の変形が所定の第１の条件を満たすように定められ、
前記記録制御手段は、前記一の画像記録設定に基づいて、前記記録手段により前記第１の記録画像を記録媒体の一方の面に記録させ、記録対象の第２の記録画像を当該記録媒体の他方の面に記録させる
ことを特徴とする画像記録装置。
【請求項１４】
前記記録制御手段は、複数の記録媒体の各々における一方の面に対して、互いに異なる画像記録設定に基づいて、前記第１の記録画像と前記第１の記録画像範囲標識とを前記記録手段により記録させ、前記複数の記録媒体の各々における他方の面に対して、前記互いに異なる画像記録設定に基づいて、前記第２の記録画像と、前記第２の記録画像が記録される第２の記録画像記録領域の範囲を示す第２の記録画像範囲標識とを前記記録手段により記録させ、
前記設定手段は、前記複数の記録媒体にそれぞれ記録された前記第１の記録画像範囲標識及び前記第２の記録画像範囲標識の前記読取手段による読み取り結果に基づいて前記一の画像記録設定を定め、
前記一の画像記録設定は、前記第１の記録画像が前記記録手段により記録媒体の前記一方の面に記録され、前記第２の記録画像が前記記録手段により当該記録媒体の前記他方の面に記録される場合において、前記第１の記録画像記録領域及び前記第２の記録画像記録領域の変形、並びに前記第１の記録画像記録領域と前記第２の記録画像記録領域との当該記録媒体の面に垂直な方向から見た所定の位置関係からのずれが所定の第２の条件を満たすように定められる
ことを特徴とする請求項１３に記載の画像記録装置。
【請求項１５】
前記記録手段により記録媒体上に付与されたインクに所定のエネルギーを与えることで当該インクを前記記録媒体に定着させる定着手段を備えることを特徴とする請求項１〜１４の何れか一項に記載の画像記録装置。
【請求項１６】
記録媒体に色材を付与して画像を記録する記録手段を備えた画像記録装置による画像記録方法であって、
記録対象の第１の記録画像及び第２の記録画像のうち少なくとも前記第１の記録画像が、記録媒体における記録対象の画像の記録可能領域を区分した複数の領域について、前記色材の付与量に係る印画率の分布を各々規定する異なる複数の印画率パターンの何れに対応するかを判定する判定ステップ、
前記判定ステップにおける判定結果に応じて、予め定められた複数の画像記録設定のうち一の画像記録設定を選択する選択ステップ、
前記選択された画像記録設定に基づいて、前記記録手段により前記第１の記録画像を記録媒体の一方の面に記録させ、前記第２の記録画像を当該記録媒体の他方の面に記録させる第１の画像記録ステップ、
を含み、
前記選択ステップでは、前記第１の記録画像が対応すると判定された印画率パターンの対応画像が前記記録手段により記録媒体上に記録される場合において、前記対応画像が記録される対応画像記録領域の当該記録による変形が所定の第１の条件を満たす画像記録設定を、前記判定結果に応じた画像記録設定として選択する
ことを特徴とする画像記録方法。
【請求項１７】
前記選択ステップでは、前記対応画像が前記記録手段により記録媒体上に記録される場合において、前記対応画像記録領域の変形が、前記対応画像記録領域を規定する矩形の辺に平行な少なくとも一の方向についての一定の拡大率に係る拡大、及び一定の縮小率に係る縮小の少なくとも一方によるものとなる画像記録設定を、前記判定結果に応じた画像記録設定として選択することを特徴とする請求項１６に記載の画像記録方法。
【請求項１８】
複数の記録媒体の各々に対して、互いに異なる画像記録設定に基づいて、前記対応画像と、前記対応画像が記録される記録領域の範囲を示す対応画像範囲標識とを前記記録手段により記録させる第２の画像記録ステップ、
前記複数の記録媒体にそれぞれ記録された前記対応画像範囲標識を読み取る第１の読取ステップ、
前記第１の読取ステップにおける読み取り結果に基づいて前記対応画像に係る前記印画率パターンに対応する画像記録設定を定める第１の設定ステップ、
を含み、
前記第２の画像記録ステップ、前記第１の読取ステップ及び前記第１の設定ステップは、前記判定ステップの前に行われ、
前記選択ステップでは、前記第１の記録画像が対応すると判定された印画率パターンに対応する画像記録設定を、前記判定結果に応じた画像記録設定として選択する
ことを特徴とする請求項１６又は１７に記載の画像記録方法。
【請求項１９】
前記判定ステップでは、前記第１の記録画像が対応する第１の印画率パターン及び前記第２の記録画像が対応する第２の印画率パターンの組み合わせに係る複合印画率パターンを判定し、
前記選択ステップでは、前記判定された複合印画率パターンに予め対応付けられた画像記録設定を選択し、
前記複合印画率パターンの各々には、当該複合印画率パターンに係る前記第１の印画率パターンの第１の対応画像が前記記録手段により記録媒体の前記一方の面に記録され、前記複合印画率パターンに係る前記第２の印画率パターンの第２の対応画像が前記記録手段により当該記録媒体の前記他方の面に記録される場合における前記第１の対応画像が記録された第１の対応画像記録領域及び前記第２の対応画像が記録された第２の対応画像記録領域の変形、並びに前記第１の対応画像記録領域と前記第２の対応画像記録領域との当該記録媒体の両面における所定の位置関係からのずれが所定の第２の条件を満たす画像記録設定が予め対応付けられている
ことを特徴とする請求項１６に記載の画像記録方法。
【請求項２０】
複数の記録媒体の各々における前記一方の面に対して、互いに異なる画像記録設定に基づいて、前記第１の対応画像と、前記第１の対応画像記録領域の範囲を示す第１の対応画像範囲標識とを前記記録手段により記録させ、前記複数の記録媒体の各々における前記他方の面に対して、前記互いに異なる画像記録設定に基づいて、前記第２の対応画像と、前記第２の対応画像記録領域の範囲を示す第２の対応画像範囲標識とを前記記録手段により記録させる第３の画像記録ステップ、
前記複数の記録媒体にそれぞれ記録された前記第１の対応画像範囲標識及び前記第２の対応画像範囲標識を読み取る第２の読取ステップ、
前記第２の読取ステップにおける読み取り結果に基づいて前記複合印画率パターンに対応する前記画像記録設定を定める第２の設定ステップ、
を含み、
前記第３の画像記録ステップ、前記第２の読取ステップ及び前記第２の設定ステップは、前記判定ステップの前に行われる
ことを特徴とする請求項１９に記載の画像記録方法。
【発明の詳細な説明】
【技術分野】
【０００１】
本発明は、画像記録装置及び画像記録方法に関する。
【背景技術】
【０００２】
従来、インクやトナーといった色材を記録媒体上に付与し、記録媒体及び色材に熱を与えて色材を記録媒体に定着させることにより画像を記録する画像記録装置がある。このような画像記録装置では、記録媒体のうち特に色材が付与された部分が熱によって収縮して、画像の記録が行なわれる前後で記録媒体の大きさが変化することがある。このため、記録媒体の一方の面に画像を記録した後に他方の面に画像を記録する場合、記録媒体の表裏で画像の記録領域の意図しないずれが生じることがある。
【０００３】
これに対し、記録媒体の一方の面の四隅近傍に記録された識別標識の位置を読み取って一方の面に画像が記録された記録媒体の収縮量を求め、当該収縮量に応じて記録媒体の他方の面に記録する画像の位置及び／又は大きさを調整することにより記録媒体の表裏における画像の記録領域のずれを抑制する技術がある（例えば特許文献１及び特許文献２）。ここで、画像の大きさを調整する簡易な方法としては、画像の記録領域の辺に平行な方向についての画像の拡大又は縮小が用いられる。
【先行技術文献】
【特許文献】
【０００４】
【特許文献１】特開２０１０−２１２７４５号公報
【特許文献２】特開２０１１−１８３８０３号公報
【発明の概要】
【発明が解決しようとする課題】
【０００５】
しかしながら、記録媒体に対して付与された色材の量の偏りや、当該偏って付与された色材を記録媒体に定着させる順序によっては、記録媒体の収縮率が不均一となり、上述した画像の位置の調整、及び画像の拡大、縮小による大きさの調整のみでは記録媒体の表裏における画像の記録領域のずれを適切に抑制できない場合があるという課題がある。
【０００６】
この発明の目的は、より適切に記録媒体の表裏における画像の記録領域のずれを抑制することができる画像記録装置及び画像記録方法を提供することにある。
【課題を解決するための手段】
【０００７】
上記目的を達成するため、請求項１に記載の画像記録装置の発明は、
記録媒体に色材を付与して画像を記録する記録手段と、
記録対象の第１の記録画像及び第２の記録画像のうち少なくとも前記第１の記録画像が、記録媒体における記録対象の画像の記録可能領域を区分した複数の領域について、前記色材の付与量に係る印画率の分布を各々規定する異なる複数の印画率パターンの何れに対応するかを判定する判定手段と、
前記判定手段による判定結果に応じて、予め定められた複数の画像記録設定のうち一の画像記録設定を選択する選択手段と、
前記選択された画像記録設定に基づいて、前記記録手段により前記第１の記録画像を記録媒体の一方の面に記録させ、前記第２の記録画像を当該記録媒体の他方の面に記録させる記録制御手段と、
を備え、
前記選択手段は、前記第１の記録画像が対応すると判定された印画率パターンの対応画像が前記記録手段により記録媒体上に記録される場合において、前記対応画像が記録される対応画像記録領域の当該記録による変形が所定の第１の条件を満たす画像記録設定を、前記判定結果に応じた画像記録設定として選択する
ことを特徴としている。
【０００８】
請求項２に記載の発明は、請求項１に記載の画像記録装置において、
前記選択手段は、前記対応画像が前記記録手段により記録媒体上に記録される場合において、前記対応画像記録領域の変形が、前記対応画像記録領域を規定する矩形の辺に平行な少なくとも一の方向についての一定の拡大率に係る拡大、及び一定の縮小率に係る縮小の少なくとも一方によるものとなる画像記録設定を、前記判定結果に応じた画像記録設定として選択することを特徴としている。
【０００９】
請求項３に記載の発明は、請求項１又は２に記載の画像記録装置において、
前記記録手段により記録媒体に記録された画像を読み取る読取手段を備え、
前記記録制御手段は、複数の記録媒体の各々に対して、互いに異なる画像記録設定に基づいて、前記対応画像と、前記対応画像記録領域の範囲を示す対応画像範囲標識とを前記記録手段により記録させ、
当該画像記録装置は、前記複数の記録媒体にそれぞれ記録された前記対応画像範囲標識の前記読取手段による読み取り結果に基づいて、前記対応画像に係る前記印画率パターンに対応する画像記録設定を定める第１の設定手段を備え、
前記選択手段は、前記第１の記録画像が対応すると判定された印画率パターンに対応する画像記録設定を、前記判定結果に応じた画像記録設定として選択する
ことを特徴としている。
【００１０】
請求項４に記載の発明は、請求項１〜３の何れか一項に記載の画像記録装置において、
前記選択手段は、前記対応画像記録領域の変形が最も抑制される画像記録設定を、前記判定結果に応じた画像記録設定として選択することを特徴としている。
【００１１】
請求項５に記載の発明は、請求項１に記載の画像記録装置において、
前記判定手段は、前記第１の記録画像が対応する第１の印画率パターン及び前記第２の記録画像が対応する第２の印画率パターンの組み合わせに係る複合印画率パターンを判定し、
前記選択手段は、前記判定された複合印画率パターンに予め対応付けられた画像記録設定を選択し、
前記複合印画率パターンには、当該複合印画率パターンに係る前記第１の印画率パターンの第１の対応画像が前記記録手段により記録媒体の前記一方の面に記録され、前記複合印画率パターンに係る前記第２の印画率パターンの第２の対応画像が前記記録手段により当該記録媒体の前記他方の面に記録される場合において、前記第１の対応画像が記録された第１の対応画像記録領域及び前記第２の対応画像が記録された第２の対応画像記録領域の変形、並びに前記第１の対応画像記録領域と前記第２の対応画像記録領域との当該記録媒体の両面における所定の位置関係からのずれが所定の第２の条件を満たす画像記録設定が予め対応付けられている
ことを特徴としている。
【００１２】
請求項６に記載の発明は、請求項５に記載の画像記録装置において、
前記記録手段により記録媒体に記録された画像を読み取る読取手段を備え、
前記記録制御手段は、複数の記録媒体の各々における前記一方の面に対して、互いに異なる画像記録設定に基づいて、前記第１の対応画像と、前記第１の対応画像記録領域の範囲を示す第１の対応画像範囲標識とを前記記録手段により記録させ、前記複数の記録媒体の各々における前記他方の面に対して、前記互いに異なる画像記録設定に基づいて、前記第２の対応画像と、前記第２の対応画像記録領域の範囲を示す第２の対応画像範囲標識とを前記記録手段により記録させ、
当該画像記録装置は、前記複数の記録媒体にそれぞれ記録された前記第１の対応画像範囲標識及び前記第２の対応画像範囲標識の前記読取手段による読み取り結果に基づいて、前記複合印画率パターンに対応する前記画像記録設定を定める第２の設定手段を備える
ことを特徴としている。
【００１３】
請求項７に記載の発明は、請求項５又は６に記載の画像記録装置において、
前記複合印画率パターンには、前記第１の対応画像記録領域及び前記第２の対応画像記録領域の前記変形、並びに前記第１の対応画像記録領域と前記第２の対応画像記録領域との前記ずれが最も抑制される画像記録設定が予め対応付けられていることを特徴としている。
【００１４】
請求項８に記載の発明は、請求項１〜７の何れか一項に記載の画像記録装置において、
前記記録手段により記録媒体に記録された画像を読み取る読取手段と、
前記記録手段により記録される画像に係る画像データを補正する補正手段と、
を備え、
前記記録制御手段は、前記第１の記録画像と、当該第１の記録画像が記録される記録領域の範囲を示す記録画像範囲標識とを、前記記録手段により前記記録媒体の前記一方の面に記録させ、
前記補正手段は、前記読取手段による前記記録画像範囲標識の読み取り結果に基づいて、前記一方の面において前記第１の記録画像が記録された記録領域と前記他方の面において前記第２の記録画像が記録される記録領域とが当該記録媒体の両面における同一範囲となるように前記第２の記録画像に係る画像データを補正する
ことを特徴としている。
【００１５】
請求項９に記載の発明は、請求項１〜８の何れか一項に記載の画像記録装置において、
前記複数の画像記録設定は、前記記録手段により記録媒体に記録させる画像の向きに係る設定を含むことを特徴としている。
【００１６】
請求項１０に記載の発明は、請求項１〜９の何れか一項に記載の画像記録装置において、
前記複数の画像記録設定は、前記記録手段により画像を記録させる記録媒体の向きに係る設定を含むことを特徴としている。
【００１７】
請求項１１に記載の発明は、請求項１〜１０の何れか一項に記載の画像記録装置において、
前記複数の画像記録設定は、前記一方の面及び前記他方の面にそれぞれ記録される記録対象の画像の入れ替えの有無を示す設定を含むことを特徴としている。
【００１８】
請求項１２に記載の発明は、請求項１〜１１の何れか一項に記載の画像記録装置において、
前記第１の記録画像及び前記第２の記録画像は、記録媒体上の一の記録領域に対して割り付けがなされた複数の通常画像を含み、
前記複数の画像記録設定は、前記一の記録領域における前記複数の通常画像の割り付け位置に係る設定を含む
ことを特徴としている。
【００１９】
また、上記目的を達成するため、請求項１３に記載の画像記録装置の発明は、
記録媒体に色材を付与して画像を記録する記録手段と、
前記記録手段により記録媒体に記録された画像を読み取る読取手段と、
複数の記録媒体の各々に対して、互いに異なる画像記録設定に基づいて、記録対象の第１の記録画像と、記録媒体における前記第１の記録画像が記録される第１の記録画像記録領域の範囲を示す第１の記録画像範囲標識とを前記記録手段により記録させる記録制御手段と、
前記複数の記録媒体にそれぞれ記録された前記第１の記録画像範囲標識の前記読取手段による読み取り結果に基づいて一の画像記録設定を定める設定手段と、
を備え、
前記一の画像記録設定は、前記第１の記録画像が前記記録手段により記録媒体上に記録される場合における前記第１の記録画像記録領域の変形が所定の第１の条件を満たすように定められ、
前記記録制御手段は、前記一の画像記録設定に基づいて、前記記録手段により前記第１の記録画像を記録媒体の一方の面に記録させ、記録対象の第２の記録画像を当該記録媒体の他方の面に記録させる
ことを特徴としている。
【００２０】
請求項１４に記載の発明は、請求項１３に記載の画像記録装置において、
前記記録制御手段は、複数の記録媒体の各々における一方の面に対して、互いに異なる画像記録設定に基づいて、前記第１の記録画像と前記第１の記録画像範囲標識とを前記記録手段により記録させ、前記複数の記録媒体の各々における他方の面に対して、前記互いに異なる画像記録設定に基づいて、前記第２の記録画像と、前記第２の記録画像が記録される第２の記録画像記録領域の範囲を示す第２の記録画像範囲標識とを前記記録手段により記録させ、
前記設定手段は、前記複数の記録媒体にそれぞれ記録された前記第１の記録画像範囲標識及び前記第２の記録画像範囲標識の前記読取手段による読み取り結果に基づいて前記一の画像記録設定を定め、
前記一の画像記録設定は、前記第１の記録画像が前記記録手段により記録媒体の前記一方の面に記録され、前記第２の記録画像が前記記録手段により当該記録媒体の前記他方の面に記録される場合において、前記第１の記録画像記録領域及び前記第２の記録画像記録領域の変形、並びに前記第１の記録画像記録領域と前記第２の記録画像記録領域との当該記録媒体の面に垂直な方向から見た所定の位置関係からのずれが所定の第２の条件を満たすように定められる
ことを特徴としている。
【００２１】
請求項１５に記載の発明は、請求項１〜１４の何れか一項に記載の画像記録装置において、
前記記録手段により記録媒体上に付与されたインクに所定のエネルギーを与えることで当該インクを前記記録媒体に定着させる定着手段を備えることを特徴としている。
【００２２】
また、上記目的を達成するため、請求項１６に記載の画像記録方法の発明は、
記録媒体に色材を付与して画像を記録する記録手段を備えた画像記録装置による画像記録方法であって、
記録対象の第１の記録画像及び第２の記録画像のうち少なくとも前記第１の記録画像が、記録媒体における記録対象の画像の記録可能領域を区分した複数の領域について、前記色材の付与量に係る印画率の分布を各々規定する異なる複数の印画率パターンの何れに対応するかを判定する判定ステップ、
前記判定ステップにおける判定結果に応じて、予め定められた複数の画像記録設定のうち一の画像記録設定を選択する選択ステップ、
前記選択された画像記録設定に基づいて、前記記録手段により前記第１の記録画像を記録媒体の一方の面に記録させ、前記第２の記録画像を当該記録媒体の他方の面に記録させる第１の画像記録ステップ、
を含み、
前記選択ステップでは、前記第１の記録画像が対応すると判定された印画率パターンの対応画像が前記記録手段により記録媒体上に記録される場合において、前記対応画像が記録される対応画像記録領域の当該記録による変形が所定の第１の条件を満たす画像記録設定を、前記判定結果に応じた画像記録設定として選択する
ことを特徴としている。
【００２３】
請求項１７に記載の発明は、請求項１６に記載の画像記録方法において、
前記選択ステップでは、前記対応画像が前記記録手段により記録媒体上に記録される場合において、前記対応画像記録領域の変形が、前記対応画像記録領域を規定する矩形の辺に平行な少なくとも一の方向についての一定の拡大率に係る拡大、及び一定の縮小率に係る縮小の少なくとも一方によるものとなる画像記録設定を、前記判定結果に応じた画像記録設定として選択することを特徴としている。
【００２４】
請求項１８に記載の発明は、請求項１６又は１７に記載の画像記録方法において、
複数の記録媒体の各々に対して、互いに異なる画像記録設定に基づいて、前記対応画像と、前記対応画像が記録される記録領域の範囲を示す対応画像範囲標識とを前記記録手段により記録させる第２の画像記録ステップ、
前記複数の記録媒体にそれぞれ記録された前記対応画像範囲標識を読み取る第１の読取ステップ、
前記第１の読取ステップにおける読み取り結果に基づいて前記対応画像に係る前記印画率パターンに対応する画像記録設定を定める第１の設定ステップ、
を含み、
前記第２の画像記録ステップ、前記第１の読取ステップ及び前記第１の設定ステップは、前記判定ステップの前に行われ、
前記選択ステップでは、前記第１の記録画像が対応すると判定された印画率パターンに対応する画像記録設定を、前記判定結果に応じた画像記録設定として選択する
ことを特徴としている。
【００２５】
請求項１９に記載の発明は、請求項１６に記載の画像記録方法において、
前記判定ステップでは、前記第１の記録画像が対応する第１の印画率パターン及び前記第２の記録画像が対応する第２の印画率パターンの組み合わせに係る複合印画率パターンを判定し、
前記選択ステップでは、前記判定された複合印画率パターンに予め対応付けられた画像記録設定を選択し、
前記複合印画率パターンの各々には、当該複合印画率パターンに係る前記第１の印画率パターンの第１の対応画像が前記記録手段により記録媒体の前記一方の面に記録され、前記複合印画率パターンに係る前記第２の印画率パターンの第２の対応画像が前記記録手段により当該記録媒体の前記他方の面に記録される場合における前記第１の対応画像が記録された第１の対応画像記録領域及び前記第２の対応画像が記録された第２の対応画像記録領域の変形、並びに前記第１の対応画像記録領域と前記第２の対応画像記録領域との当該記録媒体の両面における所定の位置関係からのずれが所定の第２の条件を満たす画像記録設定が予め対応付けられている
ことを特徴としている。
【００２６】
請求項２０に記載の発明は、請求項１９に記載の画像記録方法において、
複数の記録媒体の各々における前記一方の面に対して、互いに異なる画像記録設定に基づいて、前記第１の対応画像と、前記第１の対応画像記録領域の範囲を示す第１の対応画像範囲標識とを前記記録手段により記録させ、前記複数の記録媒体の各々における前記他方の面に対して、前記互いに異なる画像記録設定に基づいて、前記第２の対応画像と、前記第２の対応画像記録領域の範囲を示す第２の対応画像範囲標識とを前記記録手段により記録させる第３の画像記録ステップ、
前記複数の記録媒体にそれぞれ記録された前記第１の対応画像範囲標識及び前記第２の対応画像範囲標識を読み取る第２の読取ステップ、
前記第２の読取ステップにおける読み取り結果に基づいて前記複合印画率パターンに対応する前記画像記録設定を定める第２の設定ステップ、
を含み、
前記第３の画像記録ステップ、前記第２の読取ステップ及び前記第２の設定ステップは、前記判定ステップの前に行われる
ことを特徴としている。
【発明の効果】
【００２７】
本発明に従うと、より適切に記録媒体の表裏における画像の記録領域のずれを抑制することができるという効果がある。
【図面の簡単な説明】
【００２８】
【図１】インクジェット記録装置の概略構成を示す図である。
【図２】ヘッドユニットの構成を示す模式図である。
【図３】インクジェット記録装置の主要な機能構成を示すブロック図である。
【図４】印画率パターンの例を示す図である。
【図５】トンボが記録された記録媒体の例、及びトンボを用いた見当ずれ量の評価方法を説明する図である。
【図６】画像記録設定の例、及び複合印画率パターンと画像記録設定との対応関係の例を示す図である。
【図７】画像記録設定決定処理の制御手順を示すフローチャートである。
【図８】画像記録処理の制御手順を示すフローチャートである。
【図９】変形例に係る画像記録設定の例、及び複合印画率パターンと画像記録設定との対応関係の例を示す図である。
【図１０】第２の実施形態に係る画像記録設定の例、及び印画率パターンと画像記録設定との対応関係の例を示す図である。
【図１１】第２の実施形態に係る画像記録設定決定処理の制御手順を示すフローチャートである。
【図１２】第２の実施形態に係る画像記録処理の制御手順を示すフローチャートである。
【図１３】第３の実施形態に係る画像記録設定決定処理の制御手順を示すフローチャートである。
【図１４】第３の実施形態に係る画像記録処理の制御手順を示すフローチャートである。
【発明を実施するための形態】
【００２９】
（第１の実施形態）
以下、本発明の画像記録装置及び画像記録方法に係る実施の形態を図面に基づいて説明する。
【００３０】
図１は、本発明の実施形態であるインクジェット記録装置１（画像記録装置）の概略構成を示す図である。
インクジェット記録装置１は、給紙部１０と、画像記録部２０と、排紙部３０と、制御部４０（図３）とを備える。インクジェット記録装置１は、制御部４０による制御下で、給紙部１０に格納された記録媒体Ｐを画像記録部２０に搬送し、画像記録部２０で記録媒体Ｐに画像を形成し、画像が形成された記録媒体Ｐを排紙部３０に搬送する。記録媒体Ｐとしては、普通紙や塗工紙といった紙のほか、布帛又はシート状の樹脂等、表面に着弾したインクを定着させることが可能な種々の媒体を用いることができる。
【００３１】
給紙部１０は、記録媒体Ｐを格納する給紙トレー１１と、給紙トレー１１から画像記録部２０に記録媒体Ｐを搬送して供給する媒体供給部１２とを有する。媒体供給部１２は、内側が２本のローラーにより支持された輪状のベルトを備え、このベルト上に記録媒体Ｐを載置した状態でローラーを回転させることで記録媒体Ｐを給紙トレー１１から画像記録部２０へ搬送する。
【００３２】
画像記録部２０は、搬送ドラム２１と、受け渡しユニット２２と、加熱部２３と、ヘッドユニット２４（記録手段）と、定着部２５（定着手段）と、画像読取部２６（読取手段）と、デリバリー部２７と、反転部２８などを有する。
【００３３】
搬送ドラム２１は、円柱面状の外周面である搬送面上に記録媒体Ｐを保持した状態で図１の図面に垂直な方向（Ｘ方向）に延びた回転軸の周りで回転することで記録媒体Ｐを搬送面に沿った搬送方向に搬送する。搬送ドラム２１は、その搬送面上で記録媒体Ｐを保持するための図示しない爪部及び吸気部を備える。記録媒体Ｐは、爪部により端部が押さえられ、かつ吸気部により搬送面に吸い寄せられることで搬送面に保持される。搬送ドラム２１は、搬送ドラム２１を回転させるための図示しない搬送ドラムモーターに接続されており、搬送ドラムモーターの回転量に比例した角度だけ回転する。
【００３４】
受け渡しユニット２２は、給紙部１０の媒体供給部１２により搬送された記録媒体Ｐを搬送ドラム２１に引き渡す。受け渡しユニット２２は、給紙部１０の媒体供給部１２と搬送ドラム２１との間の位置に設けられ、媒体供給部１２から搬送された記録媒体Ｐの一端をスイングアーム部２２１で保持して取り上げ、受け渡しドラム２２２を介して搬送ドラム２１に引き渡す。
【００３５】
加熱部２３は、受け渡しドラム２２２の配置位置とヘッドユニット２４の配置位置との間に設けられ、搬送ドラム２１により搬送される記録媒体Ｐが所定の温度範囲内の温度となるように記録媒体Ｐを加熱する。加熱部２３は、例えば、赤外線ヒーター等を有し、ＣＰＵ４１（図３）から供給される制御信号に基づいて赤外線ヒーターに通電して当該赤外線ヒーターを発熱させる。
【００３６】
ヘッドユニット２４は、画像データに基づいて、記録媒体Ｐが保持された搬送ドラム２１の回転に応じた適切なタイミングで記録媒体Ｐに対してインクを吐出して画像を形成する。ヘッドユニット２４は、インク吐出面が搬送ドラム２１に対向して所定の距離を置いて配置される。本実施形態のインクジェット記録装置１では、イエロー（Ｙ）、マゼンタ（Ｍ）、シアン（Ｃ）、ブラック（Ｋ）の４色のインクにそれぞれ対応する４つのヘッドユニット２４が記録媒体Ｐの搬送方向上流側からＹ，Ｍ，Ｃ，Ｋの色の順に所定の間隔で並ぶように配列されている。
【００３７】
図２は、ヘッドユニット２４の構成を示す模式図である。この図では、ヘッドユニット２４を搬送ドラム２１の搬送面に相対する側から見た平面図において、記録ヘッド２４２のノズル２４３の位置を模式的に示している。
各ヘッドユニット２４は、インクを吐出する複数の記録素子のノズル２４３が記録媒体Ｐの搬送方向と交差する方向（本実施形態では搬送方向と直交する方向、即ちＸ方向）に配列された４つの記録ヘッド２４２を備える。
【００３８】
ヘッドユニット２４に含まれる４つの記録ヘッド２４２は、Ｘ方向についての配置範囲が互いに一部重複するように千鳥格子状に配置され、Ｘ方向に沿って奇数番目に配置された記録ヘッド２４２のノズル２４３が同一直線上に位置するとともに、偶数番目に配置された記録ヘッド２４２のノズル２４３が同一線上に位置している。また、４つの記録ヘッド２４２は、ノズル２４３からインクを吐出可能な範囲がＸ方向に連続的に繋がるような位置関係で配置されている。
【００３９】
ヘッドユニット２４に含まれるノズル２４３のＸ方向についての配置範囲は、搬送ドラム２１により搬送される記録媒体Ｐのうち画像が形成可能な領域のＸ方向の幅をカバーしており、ヘッドユニット２４は、画像の記録時には搬送ドラム２１の回転軸に対して位置が固定されて用いられる。即ち、インクジェット記録装置１は、シングルパス形式のインクジェット記録装置である。
なお、記録ヘッド２４２は、ノズル２４３の列を２以上備えていても良い。例えば、Ｘ方向に配列されたノズル２４３の列を２列備え、これら２列のノズル２４３がＸ方向についてノズル２４３の配置間隔の２分の１だけ互いにずれた状態で配置された構成であっても良い。また、ヘッドユニット２４が有する記録ヘッド２４２の数は、３つ以下又は５つ以上であっても良い。
【００４０】
また、ヘッドユニット２４は、記録ヘッド２４２を駆動する記録ヘッド駆動部２４１（図３）を備える。記録ヘッド駆動部２４１は、各記録ヘッド２４２に対して画像データの画素値に応じた駆動波形の電圧信号を供給する駆動回路と、この駆動回路に適切なタイミングで画像データを含む制御信号を供給する駆動制御回路とを有する。
【００４１】
記録ヘッド２４２に含まれる記録素子の各々は、インクを貯留する圧力室と、圧力室の壁面に設けられた圧電素子と、ノズル２４３とを備える。記録ヘッド駆動部２４１の駆動回路からは、画像データの画素値に応じて、圧電素子を変形動作させる駆動波形の電圧信号が出力され、記録素子は、当該電圧信号が圧電素子に印加されるように構成されている。圧電素子に駆動波形の電圧信号が印加されると、この電圧信号に応じて圧力室が変形して圧力室内の圧力が変化し、圧力室に連通するノズル２４３からインクを吐出するインク吐出動作が行われる。この結果、ノズル２４３から、画像データの画素値に応じた量のインクが吐出される。
【００４２】
記録素子のノズルから吐出されるインクとしては、温度によってゲル状又はゾル状に相変化し、紫外線等のエネルギー線を照射することにより硬化する性質を有するものが用いられる。
また、本実施形態では、常温でゲル状であり加熱されることによりゾル状となるインクが用いられる。ヘッドユニット２４は、ヘッドユニット２４内に貯留されるインクを加熱する図示略のインク加熱部を備え、当該インク加熱部は、ＣＰＵ４１による制御下で動作し、ゾル状となる温度にインクを加熱する。記録ヘッド２４２は、加熱されてゾル状となったインクを吐出する。このゾル状のインクが記録媒体Ｐに吐出されると、インク滴が記録媒体Ｐに着弾した後、自然冷却されることで速やかにインクがゲル状となって記録媒体Ｐ上で凝固する。
【００４３】
定着部２５は、搬送ドラム２１のＸ方向の幅に亘って配置された発光部を有する。定着部２５は、搬送ドラム２１に載置された記録媒体Ｐに対して当該発光部から紫外線等のエネルギー線を照射することにより記録媒体Ｐ上に吐出されたインクに対して所定のエネルギーを付与し、これによりインクを硬化させて定着させる。定着部２５の発光部は、搬送方向についてヘッドユニット２４の配置位置の下流側かつデリバリー部２７の受け渡しドラム２７１の配置位置の上流側に搬送面と対向して配置される。
【００４４】
画像読取部２６は、搬送方向について定着部２５によるインクの定着位置から受け渡しドラム２７１の配置位置までの間の位置において、搬送面上の記録媒体Ｐの表面を読み取り可能に配置され、搬送ドラム２１により搬送される記録媒体Ｐに形成されている画像を所定の読取範囲で読み取って当該画像の撮像データを出力する。
本実施形態では、画像読取部２６は、搬送ドラム２１により搬送される記録媒体Ｐに対して光を照射する光源と、記録媒体Ｐに入射した光の反射光の強度を検出する撮像素子がＸ方向に配列されたラインセンサーとを備える。このラインセンサーは、画像の撮像データを複数の波長成分ごと、例えば、Ｒ（レッド）、Ｇ（グリーン）、Ｂ（ブルー）の３波長でそれぞれ取得可能となっている。なお、画像読取部２６の構成はこれに限られず、例えばラインセンサーに代えてエリアセンサーが用いられても良い。
【００４５】
デリバリー部２７は、内側が２本のローラーにより支持された輪状のベルトを有するベルトループ２７２と、記録媒体Ｐを搬送ドラム２１からベルトループ２７２に受け渡す円筒状の受け渡しドラム２７１とを有し、受け渡しドラム２７１により搬送ドラム２１からベルトループ２７２上に受け渡された記録媒体Ｐをベルトループ２７２により搬送して排紙部３０に送出する。
【００４６】
反転部２８は、記録媒体Ｐの表裏を反転させる場合にＣＰＵ４１による制御下で動作し、受け渡しドラム２７１から引き渡された記録媒体Ｐの表裏を反転させて搬送ドラム２１に引き渡し、搬送ドラム２１の搬送面上に載置させる。反転部２８は、第１ドラム２８１、第２ドラム２８２、及びベルトループ２８３を備える。
反転部２８では、記録媒体Ｐは、図１における時計方向に回転する受け渡しドラム２７１から図１における反時計方向に回転する第１ドラム２８１に受け渡され、続いて図１における時計方向に回転する第２ドラム２８２、反時計方向に回転するベルトループ２８３に順に引き渡される。記録媒体Ｐの後端が第２ドラム２８２とベルトループ２８３とのニップ部近傍に到達するとベルトループ２８３の回転方向が図１における時計方向に変更され、記録媒体Ｐは、受け渡しドラム２２２の搬送方向上流側で搬送ドラム２１の搬送面に載置される。反転部２８により当該搬送面上に載置された記録媒体Ｐは、画像が形成された面が搬送面に当接する状態で搬送ドラム２１に再び保持される。
なお、反転部２８の構成は上記に限られず、記録媒体Ｐの表裏を反転させて搬送ドラム２１に引き渡すことが可能な種々の構成から適宜選択することができる。
【００４７】
排紙部３０は、デリバリー部２７により画像記録部２０から送り出された記録媒体Ｐが載置される板状の排紙トレー３１を有する。
【００４８】
図３は、インクジェット記録装置１の主要な機能構成を示すブロック図である。
インクジェット記録装置１は、上述した加熱部２３、ヘッドユニット２４、定着部２５、及び画像読取部２６の他、制御部４０と、搬送駆動部５１と、操作表示部５２と、入出力インターフェース５３と、バス５４などを備える。このうち制御部４０は、ＣＰＵ４１（Central Processing Unit）（判定手段、選択手段、記録制御手段、第２の設定手段、補正手段）、ＲＡＭ４２（Random Access Memory）、ＲＯＭ４３（Read Only Memory）及び記憶部４４を有する。
【００４９】
ＣＰＵ４１は、ＲＯＭ４３に記憶された各種制御用のプログラムや設定データを読み出してＲＡＭ４２に記憶させ、当該プログラムを実行して各種演算処理を行う。また、ＣＰＵ４１は、インクジェット記録装置１の全体動作を統括制御する。例えば、ＣＰＵ４１は、画像記録部２０の各部を動作させて画像記録設定決定処理を行い、生成された画像記録設定を画像記録設定データ４４ａとして記憶部４４に記憶させる。また、ＣＰＵ４１は、記憶部４４に記憶された画像データ及び画像記録設定データ４４ａに基づいて画像記録部２０の各部を動作させて記録媒体Ｐ上に画像を記録させる。
【００５０】
ＲＡＭ４２は、ＣＰＵ４１に作業用のメモリー空間を提供し、一時データを記憶する。ＲＡＭ４２は、不揮発性メモリーを含んでいても良い。
【００５１】
ＲＯＭ４３は、ＣＰＵ４１により実行される各種制御用のプログラムや設定データ等を格納する。なお、ＲＯＭ４３に代えてＥＥＰＲＯＭ（Electrically Erasable Programmable Read Only Memory）やフラッシュメモリー等の書き換え可能な不揮発性メモリーが用いられても良い。
【００５２】
記憶部４４には、入出力インターフェース５３を介して外部装置２から入力されたプリントジョブ（画像記録命令）及び当該プリントジョブに係る画像データや、画像読取部２６による撮像データが記憶される。また、記憶部４４には、画像記録設定データ４４ａが記憶されている。また、記憶部４４には、後述する第１の対応画像、第２の対応画像、及びトンボＭ１，Ｍ２に係る画像データが記憶されている。
記憶部４４としては、例えばＨＤＤ（Hard Disk Drive）が用いられ、また、ＤＲＡＭ（Dynamic Random Access Memory）などが併用されても良い。
【００５３】
搬送駆動部５１は、ＣＰＵ４１から供給される制御信号に基づいて搬送ドラム２１の搬送ドラムモーターに駆動信号を供給して搬送ドラム２１を所定の速度及びタイミングで回転させる。また、搬送駆動部５１は、ＣＰＵ４１から供給される制御信号に基づいて媒体供給部１２、受け渡しユニット２２、及びデリバリー部２７を動作させるためのモーターに駆動信号を供給して、記録媒体Ｐの搬送ドラム２１への供給及び搬送ドラム２１からの排出を行わせる。また、搬送駆動部５１は、ＣＰＵ４１から供給される制御信号に基づいて反転部２８の第１ドラム２８１、第２ドラム２８２、及びベルトループ２８３を動作させ、反転部２８により記録媒体Ｐの表裏を反転させる。
【００５４】
操作表示部５２は、液晶ディスプレイや有機ＥＬディスプレイといった表示装置と、表示装置の画面に重ねられて配置されたタッチパネルや操作キーといった入力装置とを備える。操作表示部５２は、表示装置において各種情報を表示させ、また入力装置に対するユーザーの入力操作を操作信号に変換して制御部４０に出力する。
【００５５】
入出力インターフェース５３は、外部装置２と制御部４０との間のデータの送受信を媒介する。入出力インターフェース５３は、例えば各種シリアルインターフェース、各種パラレルインターフェースのいずれか又はこれらの組み合わせで構成される。
【００５６】
バス５４は、制御部４０と他の構成との間で信号の送受信を行うための経路である。
【００５７】
外部装置２は、例えばパーソナルコンピューターであり、入出力インターフェース５３を介してプリントジョブ及び画像データ等を制御部４０に供給する。
【００５８】
次に、本実施形態のインクジェット記録装置１における画像記録動作について説明する。
本実施形態のインクジェット記録装置１では、記録媒体Ｐの一方の面（表面）に記録対象の第１の記録画像を記録した後に、反転部２８により記録媒体Ｐの表裏を反転させ、当該記録媒体Ｐの他方の面（裏面）に記録対象の第２の記録画像を記録することができる。表面及び裏面への画像の記録は、それぞれ記録画像に係る画像データに応じてヘッドユニット２４から記録媒体Ｐにインクを吐出し、当該インクを定着部２５により定着させることにより行われる。
【００５９】
定着部２５によるインクの定着では、インクに付与されるエネルギーによりインクが熱を帯び、この熱によりインクが収縮する。この結果、記録媒体Ｐのうち特にインクが付与された部分が収縮することにより、記録媒体Ｐにおいて画像が記録された記録領域が画像の定着前の状態から変形する。
【００６０】
ここで、記録領域の変形量は、記録媒体Ｐに対して付与されたインクの量の分布や、付与されたインクを定着させる順序によって変化する。例えば、付与されたインクの量が相対的に多い領域では、当該領域よりも付与されたインクの量が少ない領域と比較して記録領域の変形量が大きくなる傾向がある。従って、記録領域の変形量は、インクジェット記録装置１において画像が記録される向きや順序に係る画像記録設定によって変化する。よって、適切な画像記録設定を選択して画像を記録することにより、記録領域の変形を改善することができる。本実施形態の画像記録設定には、記録媒体Ｐに記録させる画像の向きに係る設定（以下、画像の向きの設定と記す）、画像を記録させる記録媒体Ｐの向きに係る設定（以下、記録媒体の向きの設定と記す）、及び記録媒体Ｐの表面及び裏面にそれぞれ記録される画像の入れ替えの有無を示す設定（以下、表裏記録順の設定と記す）がある。
【００６１】
また、画像記録設定に応じた記録領域の変形量の変化は、第１の記録画像及び第２の記録画像が、それぞれ異なる複数の印画率パターンの何れに対応するかに依存する。即ち、記録領域の変形を最小限に止めることができる画像記録設定は、第１の記録画像及び第２の記録画像が対応する印画率パターンによって異なる。従って、第１の記録画像及び第２の記録画像がそれぞれ何れの印画率パターンに対応するかに応じて適切な画像記録設定を選択して画像を記録することにより、記録領域の変形をより適切に改善することができる。
ここで、印画率パターンは、記録媒体Ｐにおいて記録対象の画像を記録可能な記録可能領域を区分した複数の領域の各々について、インクの付与量に係る印画率の範囲を規定したものであり、詳細は後述する。
【００６２】
そこで、本実施形態では、第１の記録画像が対応する印画率パターンと、第２の記録画像が対応する印画率パターンとの可能な全ての組み合わせ（以下、当該印画率パターンの組み合わせを複合印画率パターンと記す）に対して最適な画像記録設定が予め定められ、複合印画率パターンと画像記録設定との対応関係を示す画像記録設定データが記憶部４４に記憶されている。
【００６３】
そして、インクジェット記録装置１において記録対象の第１の記録画像及び第２の記録画像の記録を行う場合には、第１の記録画像及び第２の記録画像がそれぞれ複数の印画率パターンの何れに対応するか（即ち、第１の記録画像及び第２の記録画像が何れの複合印画率パターンに対応するか）が判定され、判定された複合印画率パターンに対応する画像記録設定に基づいて第１の記録画像及び第２の記録画像がそれぞれ表面及び裏面に記録される。
【００６４】
さらに、インクジェット記録装置１では、記録媒体Ｐの表面に、第１の記録画像とともに、第１の記録画像が記録される矩形の第１の記録画像記録領域の四隅近傍にトンボＭ１（図５）（記録画像範囲標識、第１の記録画像範囲標識）が併せて記録され、当該トンボＭ１の画像読取部２６による読み取り結果から第１の記録画像記録領域の変形量が取得される。そして、取得された第１の記録画像記録領域の変形量に応じて、第２の記録画像が記録される第２の記録画像記録領域と第１の記録画像記録領域とが記録媒体Ｐの両面における同一範囲となるように第２の記録画像に係る画像データが補正され、当該補正された画像データに基づいて記録媒体Ｐの裏面に第２の記録画像が記録される。
【００６５】
ここで、本実施形態では、上述のように適切な画像記録設定が選択されて画像が記録されることにより、第１の記録画像記録領域の変形が最小限に抑えられているため、第２の記録画像の補正に係る補正量を小さくすることができるようになっている。また、当該画像記録設定により第２の記録画像が記録されることにより、第２の記録画像が記録された後における第１及び第２の記録画像の変形が抑制される。
【００６６】
次に、複合印画率パターンに対応する画像記録設定の決定方法について説明する。
【００６７】
図４は、印画率パターンＩｍの例を示す図である。
図４に示される複数の印画率パターンＩｍの各々は、記録媒体Ｐへの記録対象の画像の記録可能領域を２行２列のマトリクス状に区分した４つの同一の大きさの区分領域の各々について、インクの付与量に係る印画率の範囲を規定しており、４つの区分領域における印画率の組み合わせが互いに異なっている。ここで、印画率は、画像データに応じて各区分領域に吐出されるインクの量を、当該区分領域の全面に対してＣ，Ｍ，Ｙ，Ｋの何れか一つの色に対応するヘッドユニット２４によりベタパターンが記録される場合を１００％として表した値である。従って、例えばＣ，Ｍ，Ｙ，Ｋのすべてのヘッドユニット２４により区分領域にベタパターンが記録された場合の印画率は、４００％となる。
図４では、印画率が０％である区分領域を区分領域Ｒ０、印画率が０％より大きく５０％以下である区分領域を区分領域ＲＬ、印画率が５０％より大きく１００％以下である区分領域を区分領域ＲＭ、印画率が１００％より大きく２００％以下である区分領域を区分領域ＲＨと記す。また、図４では、区分領域Ｒ０，ＲＬ，ＲＭ，ＲＨにそれぞれ異なるハッチングが付されている。
【００６８】
本実施形態では、４つの区分領域が区分領域Ｒ０，ＲＬ，ＲＭ，ＲＨの何れかとなる全ての可能な組み合わせの各々について印画率パターンＩｍが定められる。
図４では、区分領域Ｒ０の配置が異なる印画率パターンＩｍが列方向に記され、区分領域Ｒ０の配置が同一である印画率パターンＩｍが行方向に記されている。即ち、図４における最上段では、４つの区分領域に区分領域ＲＬ，ＲＭ，ＲＨの何れかが配置される場合の全ての組み合わせの各々に係る印画率パターンＩｍが示され、上から２段目では、左上の区分領域が区分領域Ｒ０であり残る３つの区分領域に区分領域ＲＬ，ＲＭ，ＲＨの何れかが配置される場合の全ての組み合わせの各々に係る印画率パターンＩｍが記されている。また、図４における最下段では、左上、右上及び左下の区分領域が区分領域Ｒ０となる３つの印画率パターンＩｍが記されている。
以下では、これら全ての印画率パターンＩｍの数をｎとする。また、２つの印画率パターンＩｍの組み合わせに係る複合印画率パターンの数をＮとする。
【００６９】
本実施形態のインクジェット記録装置１では、複合印画率パターンに対応する画像記録設定を決定するために、一の複合印画率パターンの一方の印画率パターンＩｍ（第１の印画率パターン）に対応する第１の対応画像を、複数の記録媒体Ｐの表面にそれぞれ互いに異なる画像記録設定に基づいて記録させ、複合印画率パターンの他方の印画率パターンＩｍ（第２の印画率パターン）に対応する第２の対応画像を、当該複数の記録媒体Ｐの裏面にそれぞれ上記互いに異なる画像記録設定に基づいて記録させる。また、第１の対応画像とともに、当該第１の対応画像が記録される矩形の第１の対応画像記録領域の四隅近傍にトンボＭ１（図５）（第１の対応画像範囲標識）が併せて記録され、また第２の対応画像とともに、当該第２の対応画像が記録される矩形の第２の対応画像記録領域の四隅近傍にトンボＭ２（図５）（第２の対応画像範囲標識）が併せて記録される。
ここで、印画率パターンＩｍに対応する対応画像とは、画像のうち印画率パターンの４つの区分領域に対応する部分の印画率が、印画率パターンＩｍに示される印画率の範囲内である画像である。本実施形態では、記録媒体Ｐの記録可能領域と同一の大きさの画像であって、印画率パターンＩｍの４つの区分領域に対応する部分の印画率がそれぞれ０％，５０％，１００％，２００％のいずれかである画像が第１の対応画像、第２の対応画像として用いられる。
そして、第１の対応画像記録領域と第２の対応画像記録領域との記録媒体Ｐの両面におけるずれ量が所定の条件を満たす画像記録設定が決定される。この画像記録設定の決定が、Ｎ通りの複合印画率パターンの各々に対して行われる。
【００７０】
図５は、トンボＭ１，Ｍ２が記録された記録媒体Ｐの例、及びトンボＭ１，Ｍ２を用いた第１の対応画像記録領域と第２の対応画像記録領域とのずれ量の評価方法を説明する図である。図５（ａ）は、トンボＭ１が記録された記録媒体Ｐの表面を示す図である。図５（ｂ）は、トンボＭ２が記録された記録媒体Ｐの裏面を示す図である。図５（ｃ）は、記録媒体Ｐの表面側から見たトンボＭ１，Ｍ２の位置を示す図である。
【００７１】
図５（ａ）に示されるように、記録媒体Ｐの表面のうち、矩形の第１の対応画像記録領域ｒ１の四隅近傍の各々には、十字形状の識別標識であるトンボＭ１が記録される。トンボＭ１の位置は、当該十字の交点により定められる。
トンボＭ１は、記録媒体Ｐにおいて第１の対応画像記録領域ｒ１の外側に位置するように形成される。ここで、４つのトンボＭ１の位置を頂点とする矩形の各辺が第１の対応画像記録領域ｒ１の各辺と平行となり、かつ４つのトンボＭ１の位置を頂点とする矩形の中心が第１の対応画像記録領域ｒ１の中心と一致するような位置にトンボＭ１を形成する。例えば、第１の対応画像記録領域ｒ１の中心から各頂点を結ぶ線上であって、当該中心からの距離が互いに等しい位置に４つのトンボＭ１を形成すればよい。このように形成されたトンボＭ１の位置からは、記録媒体Ｐにおける第１の対応画像記録領域ｒ１の範囲を求めることができる。
なお、上述した第１の記録画像が記録される第１の記録画像記録領域とトンボＭ１との位置関係も、図５（ａ）における第１の対応画像記録領域ｒ１とトンボＭ１との位置関係と同様である。
【００７２】
また、図５（ｂ）に示されるように、記録媒体Ｐの裏面のうち、矩形の第２の対応画像記録領域ｒ２の四隅近傍の各々には、十字形状の識別標識であるトンボＭ２が記録される。トンボＭ２の位置は、当該十字の交点により定められる。トンボＭ２と第２の対応画像記録領域ｒ２との位置関係は、トンボＭ１と第１の対応画像記録領域ｒ１との位置関係と同様である。このように形成されたトンボＭ２からは、記録媒体Ｐにおける第２の対応画像記録領域ｒ２の範囲を求めることができる。
【００７３】
図５（ｃ）は、表面に第１の対応画像及びトンボＭ１が、また裏面に第２の対応画像及びトンボＭ２が記録された記録媒体Ｐの画像読取部２６による読み取り結果を表面側から見た図である。ここでは、当該読み取り結果における４つのトンボＭ１のＸＹ平面における座標をそれぞれｐ１（ｘ１，ｙ１），ｐ２（ｘ２，ｙ２），ｐ３（ｘ３，ｙ３），ｐ４（ｘ４，ｙ４）、４つのトンボＭ２のＸＹ平面における座標をそれぞれｐ５（ｘ５，ｙ５），ｐ６（ｘ６，ｙ６），ｐ７（ｘ７，ｙ７），ｐ８（ｘ８，ｙ８）とする。また、Δｘ１＝（ｘ５−ｘ１），Δｘ２＝（ｘ６−ｘ２），Δｘ３＝（ｘ７−ｘ３），Δｘ４＝（ｘ８−ｘ４），Δｙ１＝（ｙ５−ｙ１），Δｙ２＝（ｙ６−ｙ２），Δｙ３＝（ｙ７−ｙ３），Δｙ４＝（ｙ８−ｙ４）とする。本明細書では、Δｘ１，Δｘ２，Δｘ３，Δｘ４，Δｙ１，Δｙ２，Δｙ３，Δｙ４を見当ずれ量と記す。
【００７４】
本実施形態では、所定の基準値Ｘ、基準値Ｙに対して、上記見当ずれ量が所定の第２の条件を満たしているか、即ち関係式（Δｘ１−Δｘ３）≦Ｘ，（Δｘ２−Δｘ４）≦Ｘ，（Δｙ１−Δｙ２）≦Ｙ，（Δｙ２−Δｙ４）≦Ｙを全て満たしているか否かが判別される。そして、一の複合印画率パターンについて、異なる画像記録設定に基づいて第１の対応画像、第２の対応画像、トンボＭ１，Ｍ２がそれぞれ記録された複数の記録媒体Ｐのうち、トンボＭ１，Ｍ２の位置が上記関係式を全て満たすように記録された記録媒体Ｐについて用いられた画像記録設定が、当該複合印画率パターンに対応する画像記録設定として定められる。
上記において基準値Ｘ、基準値Ｙは、第２の記録画像に係る画像の補正により第１の記録画像記録領域と第２の記録画像記録領域とを許容される誤差範囲内で一致させることができる範囲内で定めることができる。
【００７５】
見当ずれ量が上記関係式を満たす画像記録設定を、複合印画率パターンに対応する画像記録設定として定めることにより、当該複合印画率パターンに対応する第１の記録画像を上記のように定められた画像記録設定に基づいて記録媒体Ｐの表面に記録した場合における第１の記録画像記録領域の変形が小さく抑えられるとともに、当該変形は、所定の第１の条件を満たすものとなる。ここで、第１の条件は、第１の記録画像記録領域の変形が、Ｘ方向及びＹ方向の少なくとも一方についての第１の記録画像記録領域の一定の拡大率に係る拡大及び一定の縮小率に係る縮小の少なくとも一方によるものとなることである。よって、第２の記録画像に係る画像データを、Ｘ方向及びＹ方向の少なくとも一方について拡大、縮小する補正、及びＸＹ平面内で平行移動する補正の組み合わせにより、第１の記録画像記録領域と第２の記録画像記録領域とを記録媒体Ｐの両面において（記録媒体Ｐの面に垂直な方向から見て）容易に一致させることができる。
【００７６】
なお、見当ずれ量が上記関係式を満たす画像記録設定が複数ある場合には、（Δｘ１−Δｘ３），（Δｘ２−Δｘ４），（Δｙ１−Δｙ２），（Δｙ２−Δｙ４）の和の値が最も小さくなる画像記録設定（即ち、第１の対応画像記録領域及び第２の対応画像記録領域の変形、並びに第１の対応画像記録領域と第２の対応画像記録領域とのずれが最も抑制される画像記録設定）を、当該複合印画率パターンに対応する画像記録設定として選択すれば良い。また、上記条件を満たす画像記録設定が存在しない場合においては、上記和の値が最も小さくなる画像記録設定を、当該複合印画率パターンに対応する画像記録設定として選択することができる。
【００７７】
図６は、画像記録設定の例、及び複合印画率パターンと画像記録設定との対応関係の例を示す図である。図６（ａ）は、画像記録設定の例を示し、図６（ｂ）は、複合印画率パターンと画像記録設定との対応関係の例を示す。
図６（ａ）に示されるように、本実施形態の画像記録設定は、画像の向きの設定、記録画像の向きの設定、及び表裏記録順の設定を含む。
画像の向きの設定は、画像データを回転させずに画像の記録を行う設定（０）、画像データを１８０度回転させて画像の記録を行う設定（１）の２通りから選択される。
記録媒体の向きの設定は、記録媒体Ｐの長手方向を搬送方向に延在させて画像の記録を行う設定（０）、記録媒体Ｐの長手方向を搬送方向に垂直な方向に延在させて画像の記録を行う設定（１）の２通りから選択される。
表裏記録順の設定は、第１の記録画像を表面に記録させ第２の記録画像を裏面に記録させる設定（０）、第２の記録画像を表面に記録させ第１の記録画像を裏面に記録させる設定（１）の２通りから選択される。
従って、本実施形態では、２＾３＝８通りの画像記録設定が用いられる。
【００７８】
図６（ｂ）に示されるように、Ｎ通りの複合印画率パターンの各々には、記録媒体Ｐの表面に記録される記録画像に係る第１の印画率パターンと、当該記録媒体Ｐの裏面に記録される記録画像に係る第２の印画率パターンとが対応付けられている。また、Ｎ通りの複合印画率パターンの各々には、上述の方法により決定された画像記録設定が対応付けられている。なお、図６（ｂ）に示されるテーブルデータにおいて、画像記録設定の詳細（画像の向きの設定、記録画像の向きの設定、及び表裏記録順の設定）が直接対応付けられていても良い。
【００７９】
図６（ａ）に示される画像記録設定、及び図６（ｂ）に示される複合印画率パターンと画像記録設定との対応関係は、テーブルデータとして記憶部４４の画像記録設定データ４４ａに記憶されている。
【００８０】
続いて、インクジェット記録装置１により実行される画像記録設定決定処理のＣＰＵ４１による制御手順について説明する。
【００８１】
図７は、画像記録設定決定処理の制御手順を示すフローチャートである。
この画像記録設定決定処理は、例えばインクジェット記録装置１の製造時や出荷時に実行される。ＣＰＵ４１は、画像記録設定決定処理の開始に先立ち、搬送駆動部５１から搬送ドラム２１の搬送ドラムモーターに駆動信号を出力させて搬送ドラム２１の回転動作を開始させる
【００８２】
画像記録設定決定処理が開始されると、ＣＰＵ４１は、変数ａ及び変数ｂにそれぞれ０を代入する（ステップＳ１０１）。ここで、変数ａは、複合印画率パターンの番号を示し、０からＮまでの整数である。また、変数ｂは、画像記録設定の番号を示し、０から８までの整数である。
【００８３】
ＣＰＵ４１は、変数ａにａ＋１を代入し（ステップＳ１０２）、変数ｂにｂ＋１を代入する（ステップＳ１０３）。
【００８４】
ＣＰＵ４１は、ａ番目の複合印画率パターンに係る第１の印画率パターンの第１の対応画像及びトンボＭ１を、ｂ番目の画像記録設定に基づいて記録媒体Ｐの表面に記録する（ステップＳ１０４：第３の画像記録ステップ）。即ち、ＣＰＵ４１は、記憶部４４の画像記録設定データ４４ａを参照して、ｂ番目の画像記録設定を取得し、当該画像記録設定に応じてインクジェット記録装置１の各部の動作設定を行う。また、ＣＰＵ４１は、搬送駆動部５１から媒体供給部１２及び受け渡しユニット２２を駆動するモーターに駆動信号を出力させて記録媒体Ｐを給紙トレーから搬出させ搬送ドラム２１の搬送面に載置させる。そして、ＣＰＵ４１は、記憶部４４に記憶された第１の対応画像及びトンボＭ１に係る画像データを搬送ドラム２１の回転に応じた適切なタイミングで記録ヘッド駆動部２４１の駆動制御回路から駆動回路に供給させることにより、記録媒体Ｐ上に第１の対応画像及びトンボＭ１が記録されるようにヘッドユニット２４によりインクを吐出させる。また、ＣＰＵ４１は、インクが付与された記録媒体Ｐが定着部２５の位置に移動したタイミングで、定着部２５により当該インクに所定のエネルギー線を照射させることでインクを記録媒体Ｐに定着させ、第１の対応画像及びトンボＭ１を記録媒体Ｐ上に記録させる。
【００８５】
ＣＰＵ４１は、搬送ドラム２１により記録媒体Ｐを搬送させながら画像読取部２６により記録媒体Ｐの表面に記録された第１の対応画像及びトンボＭ１を読み取らせ、撮像データを取得して記憶部４４に記憶させる（ステップＳ１０５：第２の読取ステップ）。
【００８６】
ＣＰＵ４１は、搬送駆動部５１から反転部２８に制御信号を出力させて、反転部２８により記録媒体Ｐの表裏を反転させて搬送ドラム２１の搬送面に載置させる（ステップＳ１０６）。
【００８７】
ＣＰＵ４１は、ａ番目の複合印画率パターンに係る第２の印画率パターンの第２の対応画像及びトンボＭ２を、ｂ番目の画像記録設定に基づいて記録媒体Ｐの裏面に記録する（ステップＳ１０７：第３の画像記録ステップ）。即ち、ＣＰＵ４１は、記憶部４４に記憶された第２の対応画像及びトンボＭ２に係る画像データを搬送ドラム２１の回転に応じた適切なタイミングで記録ヘッド駆動部２４１の駆動制御回路から駆動回路に供給させることにより、第２の対応画像及びトンボＭ２が記録されるようにヘッドユニット２４によりインクを吐出させる。また、定着部２５により当該インクを定着させて、記録媒体Ｐの裏面に第２の対応画像及びトンボＭ２を記録させる。
【００８８】
ＣＰＵ４１は、搬送ドラム２１により記録媒体Ｐを搬送させながら画像読取部２６により記録媒体Ｐの裏面に記録された第２の対応画像及びトンボＭ２を読み取らせ、撮像データを取得して記憶部４４に記憶させる（ステップＳ１０８：第２の読取ステップ）。
【００８９】
ＣＰＵ４１は、記憶部４４に記憶されたトンボＭ１及びトンボＭ２の撮像データを参照して、上述の見当ずれ量を算出しＲＡＭ４２に記憶させる（ステップＳ１０９）。
【００９０】
ＣＰＵ４１は、変数ｂが８であるか否か（即ち、全ての画像記録設定についてのステップＳ１０４からステップＳ１０９までの処理が完了したか否か）を判別する（ステップＳ１１０）。変数ｂが８未満であると判別された場合には（ステップＳ１１０で“Ｎｏ”）、ＣＰＵ４１は、処理をステップＳ１０３に移行させる。
【００９１】
変数ｂが８であると判別された場合には（ステップＳ１１０で“Ｙｅｓ”）、ＣＰＵ４１は、ａ番目の複合印画率パターンに対応する画像記録設定を決定する（ステップＳ１１１：第２の設定ステップ）。即ち、ＣＰＵ４１は、８つの画像記録設定についてそれぞれステップＳ１０９において算出された見当ずれ量のうち、関係式（Δｘ１−Δｘ３）≦Ｘ，（Δｘ２−Δｘ４）≦Ｘ，（Δｙ１−Δｙ２）≦Ｙ，（Δｙ２−Δｙ４）≦Ｙを全て満たすものがあるか否かを判別する。そして、見当ずれ量が当該関係式を満たす画像記録設定が１つである場合には、当該画像記録設定をａ番目の複合印画率パターンに対応する画像記録設定として決定する。また、見当ずれ量が当該関係式を満たす画像記録設定がない場合、又は２つ以上ある場合には、（Δｘ１−Δｘ３），（Δｘ２−Δｘ４），（Δｙ１−Δｙ２），（Δｙ２−Δｙ４）の和の値が最も小さくなる画像記録設定をａ番目の複合印画率パターンに対応する画像記録設定として決定する。ＣＰＵ４１は、ａ番目の複合印画率パターンに対して定めた画像記録設定を、記憶部４４に画像記録設定データ４４ａとして記憶させる。
【００９２】
ＣＰＵ４１は、変数ａがＮであるか否か（即ち、全ての複合印画率パターンについてのステップＳ１０３からステップＳ１１１までの処理が完了したか否か）を判別する（ステップＳ１１２）。変数ａがＮ未満であると判別された場合には（ステップＳ１１２で“Ｎｏ”）、ＣＰＵ４１は、処理をステップＳ１０２に移行させる。
変数ａがＮであると判別された場合には（ステップＳ１１２で“Ｙｅｓ”）、ＣＰＵ４１は、画像記録設定決定処理を終了させる。
【００９３】
続いて、インクジェット記録装置１により実行される画像記録処理のＣＰＵ４１による制御手順について説明する。
【００９４】
図８は、画像記録処理の制御手順を示すフローチャートである。
この画像記録処理は、例えば入出力インターフェース５３を介して外部装置２から、記録媒体Ｐの両面に対する画像記録命令を含むプリントジョブ及び画像データが制御部４０に入力された場合に実行される。また、ＣＰＵ４１は、画像記録処理の開始に先立ち、搬送駆動部５１から搬送ドラム２１の搬送ドラムモーターに駆動信号を出力させて搬送ドラム２１の回転動作を開始させる。
【００９５】
画像記録処理が開始されると、ＣＰＵ４１は、プリントジョブに係る次に記録媒体Ｐの表面及び裏面にそれぞれ記録される第１の記録画像及び第２の記録画像が何れの複合印画率パターンに対応するかを判定する（ステップＳ２０１：判定ステップ）。即ち、ＣＰＵ４１は、第１の記録画像に係る画像データから、第１の記録画像のうち上述した４つの区分領域に各々対応する部分の印画率を取得し、各部分の印画率がｎ通りの印画率パターンのうち何れに対応するかに基づいて、第１の記録画像が何れの印画率パターンＩｍに対応するかを判定する。同様にして、第２の記録画像が何れの印画率パターンＩｍに対応するかを判定し、これらの判定結果に基づいて、第１の記録画像及び第２の記録画像が何れの複合印画率パターンに対応するかを判定する。
【００９６】
ＣＰＵ４１は、判定された複合印画率パターンに対応する画像記録設定を選択して取得し、当該画像記録設定を示す情報を操作表示部５２により表示させる（ステップＳ２０２：選択ステップ）。即ち、ＣＰＵ４１は、記憶部４４の画像記録設定データ４４ａを参照して、判定された複合印画率パターンに対応する画像記録設定を選択して取得し、当該画像記録設定に応じてインクジェット記録装置１の各部の動作設定を行う。ＣＰＵ４１は、当該画像記録設定を示す情報を操作表示部５２により表示させた後に、ユーザーによる確認が行われたことを示す所定の入力操作が操作表示部５２に対して行われた場合に処理を次のステップＳ２０３に移行させる。なお、ＣＰＵ４１は、当該所定の入力操作を受け付けることなく処理を次のステップＳ２０３に移行させても良い。
【００９７】
ＣＰＵ４１は、ヘッドユニット２４により記録媒体Ｐの表面に第１の記録画像及びトンボＭ１を記録させる（ステップＳ２０３：第１の画像記録ステップ）。即ち、ＣＰＵ４１は、搬送駆動部５１から媒体供給部１２及び受け渡しユニット２２を駆動するモーターに駆動信号を出力させて記録媒体Ｐを給紙トレーから搬出させ搬送ドラム２１の搬送面に載置させる。ここでは、ステップＳ２０２で選択された画像記録設定における記録媒体の向きの設定に応じた向きで記録媒体Ｐが載置されるように搬送駆動部５１を制御する。そして、ＣＰＵ４１は、記憶部４４に記憶された第１の記録画像及びトンボＭ１に係る画像データを搬送ドラム２１の回転に応じた適切なタイミングで記録ヘッド駆動部２４１の駆動制御回路から駆動回路に供給させることにより、第１の記録画像及びトンボＭ１が記録されるようにヘッドユニット２４によりインクを吐出させる。ここでは、ＣＰＵ４１は、選択された画像記録設定における画像の向きの設定に応じた向きで画像が記録されるように画像データの供給を行わせる。また、定着部２５により当該インクを定着させて、記録媒体Ｐの表面に第１の記録画像及びトンボＭ２を記録させる。
なお、選択された記録設定における表裏記録順の設定が「１」である場合には、ＣＰＵ４１は、このステップＳ２０３において、第２の記録画像を記録媒体Ｐの表面に記録させる。
【００９８】
ＣＰＵ４１は、搬送ドラム２１により記録媒体Ｐを搬送させながら画像読取部２６により記録媒体Ｐの表面に記録された第１の記録画像及びトンボＭ１を読み取らせ、撮像データを取得して記憶部４４に記憶させる（ステップＳ２０４）。
【００９９】
ＣＰＵ４１は、画像読取部２６によるトンボＭ１の読み取り結果に基づいて、第１の記録画像記録領域と第２の記録画像記録領域とが記録媒体Ｐの両面における同一範囲となるように第２の記録画像に係る画像データを補正する（ステップＳ２０５）。即ち、ＣＰＵ４１は、読み取り結果における４つのトンボＭ１の位置と、当該４つのトンボに対応する所定の基準位置との差分に応じて、第２の記録画像が記録される第２の記録画像記録領域をＸ方向及び／又はＹ方向に一定の拡大率で拡大させ又は一定の縮小率で縮小させる第２の記録画像の画像データの補正、及び第２の記録画像記録領域を平行移動させる第２の記録画像の画像データの補正の一方又は両方を行い、補正された画像データを記憶部４４に記憶させる。
【０１００】
ＣＰＵ４１は、搬送駆動部５１から反転部２８に制御信号を出力させて、反転部２８により記録媒体Ｐの表裏を反転させて搬送ドラム２１の搬送面に載置させる（ステップＳ２０６）。
【０１０１】
ＣＰＵ４１は、ヘッドユニット２４により記録媒体Ｐの裏面に第２の記録画像を記録させる（ステップＳ２０７：第１の画像記録ステップ）。即ち、ＣＰＵ４１は、記憶部４４に記憶された補正後の第２の記録画像データを搬送ドラム２１の回転に応じた適切なタイミングで記録ヘッド駆動部２４１の駆動制御回路から駆動回路に供給させることにより、第２の記録画像が記録されるようにヘッドユニット２４によりインクを吐出させる。また、定着部２５により当該インクを定着させて、記録媒体Ｐの裏面に第２の記録画像及を記録させる。
なお、選択された記録設定における表裏記録順の設定が「１」である場合には、ＣＰＵ４１は、このステップＳ２０７において、第１の記録画像を記録媒体Ｐの表面に記録させる。
【０１０２】
ＣＰＵ４１は、記憶部４４に記憶された全てのプリントジョブに係る全ての画像の記録が完了したか否かを判別する（ステップＳ２０８）。記録が完了していない画像があると判別された場合には（ステップＳ２０８で“Ｎｏ”）、ＣＰＵ４１は、処理をステップＳ２０１に移行させる。
全ての画像の記録が完了したと判別された場合には（ステップＳ２０８で“Ｙｅｓ”）、ＣＰＵ４１は、画像記録処理を終了させる。
【０１０３】
（変形例）
続いて上記第１の実施形態の変形例について説明する。本変形例では、画像記録設定の内容が上記第１の実施形態と異なる。以下では、第１の実施形態との相違点について説明する。
【０１０４】
本変形例では、記録媒体Ｐ上の一の記録領域に対して割り付けがなされた複数の通常画像をそれぞれ含む第１の記録画像及び前記第２の記録画像が記録される。以下では、第１の記録画像及び第２の記録画像がそれぞれ２行２列に割り付けられた４つの通常画像を含む場合を例に挙げて説明する。
【０１０５】
図９は、本変形例に係る画像記録設定の例、及び複合印画率パターンと画像記録設定との対応関係の例を示す図である。図９（ａ）は、画像記録設定の例を示し、図９（ｂ）は、複合印画率パターンと画像記録設定との対応関係の例を示す。
図９（ａ）に示されるように、本変形例の画像記録設定は、画像の向きの設定、記録画像の向きの設定、表裏記録順の設定に加えて、通常画像の割り付け順序に係る設定を含む。割り付け順序の設定は、通常画像を割り付け可能な４つの領域のそれぞれに４つの異なる通常画像を配置する２４通りの組み合わせの何れかを示す。従って、本変形例では、２×２×２×２４＝１９２通りの画像記録設定が用いられる。
図９（ｂ）に示されるように、Ｎ通りの複合印画率パターンの各々には、１９２通りの画像記録設定の何れかが対応付けられている。
【０１０６】
本変形例における画像記録設定決定処理では、図７に示されるステップＳ１０４及びステップＳ１０７において、何れかの割り付け順序で割り付けがなされた通常画像を含む対応画像が記録される。また、ステップＳ１１０において、変数ｂが１９２であるか否か（即ち、全ての画像記録設定についてのステップＳ１０９までの処理が完了したか否か）が判別される。
また、本変形例における画像記録処理では、図８に示されるステップＳ２０３において、選択された画像記録設定における割り付け順序の設定に従った割り付け順序で通常画像が割り付けられるように第１の記録画像が記録される。同様に、ステップＳ２０７において、選択された画像記録設定における割り付け順序の設定に従った割り付け順序で通常画像が割り付けられるように第２の記録画像が記録される。
【０１０７】
以上のように、本実施形態に係るインクジェット記録装置１は、記録媒体Ｐにインクを付与して画像を記録するヘッドユニット２４と、ＣＰＵ４１と、を備え、ＣＰＵ４１は、記録対象の第１の記録画像及び第２の記録画像が、記録媒体Ｐにおける記録対象の画像の記録可能領域を区分した複数の領域について、インクの付与量に係る印画率の分布を各々規定する異なる複数の印画率パターンの何れに対応するかを判定し（判定手段）、この判定結果に応じて、予め定められた複数の画像記録設定のうち一の画像記録設定を選択し（選択手段）、選択された画像記録設定に基づいて、ヘッドユニット２４により第１の記録画像を記録媒体Ｐの一方の面に記録させ、第２の記録画像を当該記録媒体Ｐの他方の面に記録させる（記録制御手段）。また、ＣＰＵ４１は、第１の記録画像が対応すると判定された印画率パターンの対応画像がヘッドユニット２４により記録媒体Ｐ上に記録される場合において、対応画像が記録される対応画像記録領域の当該記録による変形が所定の第１の条件を満たす画像記録設定を、判定結果に応じた画像記録設定として選択する（選択手段）。このような構成によれば、第１の記録画像及び第２の記録画像が対応する印画率パターンに応じた適切な画像記録設定に基づいて第１及び第２の記録画像が記録されるため、第１の記録画像が記録された記録領域の画像記録時における変形を抑制することができる。これにより、記録媒体Ｐの表裏における画像の記録領域のずれを適切に抑制することができる。また、記録画像に係る画像データの簡易な方法による補正により第１の記録画像及び第２の記録画像の記録領域を一致させることができ、また当該補正量を低減させることができる。
【０１０８】
また、ＣＰＵ４１は、対応画像がヘッドユニット２４により記録媒体Ｐ上に記録される場合において、対応画像記録領域の変形が、対応画像記録領域を規定する矩形の辺に平行な方向（Ｘ方向及びＹ方向）についての一定の拡大率に係る拡大、及び一定の縮小率に係る縮小の少なくとも一方によるものとなる画像記録設定を判定結果に応じた画像記録設定として選択する（記録制御手段）。このような構成によれば、記録画像の記録領域を、Ｘ方向及びＹ方向について一定の拡大率で拡大させる補正、一定の縮小率で縮小させる補正、及びＸＹ平面内で平行移動させる補正の組み合わせに係る簡易な補正方法により補正することで第１の記録画像及び第２の記録画像の記録領域を一致させることができる。
【０１０９】
また、ＣＰＵ４１は、対応画像記録領域の変形が最も抑制される画像記録設定を、判定結果に応じた画像記録設定として選択する。これにより、第１の記録画像の記録領域の変形をより適切に抑制することができる。
【０１１０】
また、ＣＰＵ４１は、第１の記録画像が対応する第１の印画率パターン及び第２の記録画像が対応する第２の印画率パターンの組み合わせに係る複合印画率パターンを判定し（判定手段）、判定された複合印画率パターンに予め対応付けられた画像記録設定を選択し（選択手段）、複合印画率パターンには、当該複合印画率パターンに係る第１の印画率パターンの第１の対応画像がヘッドユニット２４により記録媒体Ｐの一方の面に記録され、複合印画率パターンに係る第２の印画率パターンの第２の対応画像がヘッドユニット２４により当該記録媒体Ｐの他方の面に記録される場合において、第１の対応画像が記録された第１の対応画像記録領域及び第２の対応画像が記録された第２の対応画像記録領域の変形、並びに第１の対応画像記録領域と第２の対応画像記録領域との当該記録媒体Ｐの両面における所定の位置関係からのずれが所定の第２の条件を満たす画像記録設定が予め対応付けられている。このような構成によれば、第１及び第２の記録画像が対応する複合印画率パターンに応じた適切な画像記録設定に基づいて第１及び第２の記録画像が記録されることにより、第１及び第２の記録画像の記録領域の画像記録時における変形を抑制することができる。この結果、より適切に記録媒体Ｐの表裏における画像の記録領域のずれを抑制することができる。また、記録媒体Ｐの他方の面に対する第２の記録画像の記録時における画像の記録領域の変形が抑制されるため、記録媒体Ｐに対する第１及び第２の記録画像の記録完了時における第１及び第２の記録画像に係る記録領域の適正な位置及び形状からの変形を抑制することができる。
【０１１１】
また、インクジェット記録装置は、ヘッドユニット２４により記録媒体Ｐに記録された画像を読み取る画像読取部２６を備え、ＣＰＵ４１は、複数の記録媒体Ｐの各々における一方の面に対して、互いに異なる画像記録設定に基づいて、第１の対応画像と、第１の対応画像記録領域の範囲を示すトンボＭ１とをヘッドユニット２４により記録させ、上記複数の記録媒体の各々における他方の面に対して、上記互いに異なる画像記録設定に基づいて、第２の対応画像と、第２の対応画像記録領域の範囲を示すトンボＭ２とをヘッドユニット２４により記録させ（記録制御手段）、複数の記録媒体Ｐにそれぞれ記録されたトンボＭ１，Ｍ２の画像読取部２６による読み取り結果に基づいて、複合印画率パターンに対応する画像記録設定を定める（第２の設定手段）。このような構成によれば、インクジェット記録装置１において、複合印画率パターンに対応する適切な画像記録設定を定めることができる。
【０１１２】
また、複合印画率パターンには、第１の対応画像記録領域及び第２の対応画像記録領域の変形、並びに第１の対応画像記録領域と第２の対応画像記録領域とのずれが最も抑制される画像記録設定が予め対応付けられている。これにより、第１の記録画像の記録領域及び第２の記録画像の記録領域の変形、並びにこれらの記録領域の記録媒体Ｐの両面におけるずれを最も適切に抑制することができる。
【０１１３】
また、インクジェット記録装置１は、ヘッドユニット２４により記録媒体Ｐに記録された画像を読み取る画像読取部２６を備え、ＣＰＵ４１は、第１の記録画像と、当該第１の記録画像が記録される記録領域の範囲を示すトンボＭ１とを、ヘッドユニット２４により記録媒体Ｐの一方の面に記録させ（記録制御手段）、画像読取部２６によるトンボＭ１の読み取り結果に基づいて、一方の面において第１の記録画像が記録された記録領域と他方の面において第２の記録画像が記録される記録領域とが当該記録媒体Ｐの両面における同一範囲となるように第２の記録画像に係る画像データを補正する（補正手段）。このような構成によれば、第１及び第２の記録画像の記録領域が記録媒体Ｐの両面における同一範囲となるように第１及び第２の記録画像を記録することができる。
【０１１４】
また、複数の画像記録設定は、ヘッドユニット２４により記録媒体Ｐに記録させる画像の向きに係る設定を含む。これにより、記録媒体Ｐに偏って付与されたインクを定着部２５により定着させる順序を変更することができる。この結果、より画像の記録領域の変形が少ない画像記録設定を定めることができる。
【０１１５】
また、複数の画像記録設定は、ヘッドユニット２４により画像を記録させる記録媒体Ｐの向きに係る設定を含む。これにより、記録媒体Ｐに偏って付与されたインクを定着部２５により定着させる順序を変更することができる。この結果、より画像の記録領域の変形が少ない画像記録設定を定めることができる。
【０１１６】
また、複数の画像記録設定は、一方の面及び他方の面にそれぞれ記録される記録対象の画像の入れ替えの有無を示す設定を含む。このような構成によれば、第１及び第２の記録画像が対応する印画率パターンに応じて、より画像の記録領域の変形が少なくなる順序で第１及び第２の記録画像を記録させることができる。この結果、記録媒体Ｐの表裏における画像の記録領域のずれをより適切に抑制することが可能な画像記録設定を定めることができる。
【０１１７】
また、第１の記録画像及び第２の記録画像は、記録媒体Ｐ上の一の記録領域に対して割り付けがなされた複数の通常画像を含み、複数の画像記録設定は、一の記録領域における複数の通常画像の割り付け位置に係る設定を含む。このような構成によれば、通常画像の割り付け順序を変更することにより、当該割り付け順序に応じて生じる記録媒体Ｐ上のインクの偏りを、画像の記録領域の変形が少なくなる偏りとなるように調整することができる。この結果、記録媒体Ｐの表裏における画像の記録領域のずれをより適切に抑制することが可能な画像記録設定を定めることができる。
【０１１８】
また、インクジェット記録装置１は、ヘッドユニット２４により記録媒体Ｐ上に付与されたインクに所定のエネルギーを与えることで当該インクを記録媒体Ｐに定着させる定着部２５を備える。このような構成によれば、インクの定着時にインクが帯びる熱によりインクが収縮して記録媒体Ｐのうち特にインクが付与された部分が収縮するが、第１の記録画像及び第２の記録画像が対応する印画率パターンに応じた適切な画像記録設定に基づいて第１及び第２の記録画像が記録されることにより、記録媒体Ｐの収縮による記録領域の変形を抑制することができる。
【０１１９】
また、本実施形態に係る画像記録方法は、記録対象の第１の記録画像及び第２の記録画像が複数の印画率パターンの何れに対応するかを判定する判定ステップ、判定ステップにおける判定結果に応じて一の画像記録設定を選択する選択ステップ、選択された画像記録設定に基づいて、ヘッドユニット２４により第１の記録画像を記録媒体Ｐの一方の面に記録させ、第２の記録画像を当該記録媒体Ｐの他方の面に記録させる第１の画像記録ステップ、を含み、第１の画像記録ステップでは、第１の記録画像が対応すると判定された印画率パターンの対応画像がヘッドユニット２４により記録媒体Ｐ上に記録される場合において、対応画像が記録される対応画像記録領域の当該記録による変形が所定の第１の条件を満たす画像記録設定を、判定結果に応じた画像記録設定として選択する。これにより、記録媒体Ｐの表裏における画像の記録領域のずれを適切に抑制することができる。
【０１２０】
また、第１の画像記録ステップでは、対応画像が記録媒体Ｐ上に記録される場合において、対応画像記録領域の変形が、Ｘ方向及び／又はＹ方向についての一定の拡大率に係る拡大、及び一定の縮小率に係る縮小の少なくとも一方によるものとなる画像記録設定を判定結果に応じた画像記録設定として選択する。これにより、第２の記録画像の簡易な補正方法に係る補正により第１の記録画像及び第２の記録画像の記録領域を一致させることができる。
【０１２１】
また、判定ステップでは、第１の記録画像及び第２の記録画像が何れの複合印画率パターンに対応するかを判定し、選択ステップでは、判定された複合印画率パターンに予め対応付けられた画像記録設定を選択し、複数の複合印画率パターンの各々には、当該複合印画率パターンに係る第１の印画率パターンの第１の対応画像が記録媒体Ｐの一方の面に記録され、複合印画率パターンに係る第２の印画率パターンの第２の対応画像が当該記録媒体Ｐの他方の面に記録される場合における第１の対応画像記録領域及び第２の対応画像記録領域の変形、並びに第１の対応画像記録領域と第２の対応画像記録領域との当該記録媒体Ｐの両面における所定の位置関係からのずれが所定の第２の条件を満たす画像記録設定が予め対応付けられている。このような方法によれば、より適切に記録媒体Ｐの表裏における画像の記録領域のずれを抑制することができる。
【０１２２】
また、本実施形態に係る画像記録方法は、複数の記録媒体Ｐの各々に係る一方の面に対して、互いに異なる画像記録設定に基づいて、第１の対応画像とトンボＭ１とを記録させ、上記複数の記録媒体Ｐの各々に係る他方の面に対して、上記互いに異なる画像記録設定に基づいて、第２の対応画像とトンボＭ２とを記録させる第３の画像記録ステップ、複数の記録媒体Ｐにそれぞれ記録されたトンボＭ１，Ｍ２を読み取る第２の読取ステップ、第２の読取ステップにおける読み取り結果に基づいて複合印画率パターンに対応する画像記録設定を定める第２の設定ステップ、を含み、第３の画像記録ステップ、第２の読取ステップ及び第２の設定ステップは、判定ステップの前に行われる。これにより、インクジェット記録装置１において、複合印画率パターンに対応する適切な画像記録設定を定めることができる。
【０１２３】
（第２の実施形態）
続いて本発明の第２の実施形態について説明する。本実施形態では、第１の印画率パターンに予め画像記録設定が対応付けて定められている。また、第１の記録画像及び第２の記録画像のうち第１の記録画像のみに対して第１の印画率パターンの何れに対応するかの判定が行われ、第１の印画率パターンに対応づけられた画像記録設定に基づいて記録媒体Ｐに第１の記録画像及び第２の記録画像が記録される。以下では、上記実施形態との相違点について説明する。
【０１２４】
図１０は、第２の実施形態に係る画像記録設定の例、及び記録媒体Ｐの表面に係る第１の印画率パターンと画像記録設定との対応関係の例を示す図である。図１０（ａ）は、画像記録設定の例を示し、図１０（ｂ）は、第１の印画率パターンと画像記録設定との対応関係の例を示す。
図１０（ａ）に示されるように、本実施形態の画像記録設定は、画像の向きの設定及び記録画像の向きの設定を含む。従って、本変形例では、２×２＝４通りの画像記録設定が用いられる。
図１０（ｂ）に示されるように、ｎ通りの第１の印画率パターンの各々には、４通りの画像記録設定の何れかが対応付けられている。
【０１２５】
図１１は、第２の実施形態に係る画像記録設定決定処理の制御手順を示すフローチャートである。このフローチャートは、図７に示される第１の実施形態に係る画像記録設定決定処理から、ステップＳ１０６からステップＳ１０８までの処理を削除し、ステップＳ１０４、ステップＳ１０９、ステップＳ１１１、ステップＳ１１２の処理をそれぞれステップＳ１０４ａ、ステップＳ１０９ａ、ステップＳ１１１ａ、ステップＳ１１２ａに変更したものである。また、本実施形態の画像記録設定決定処理では、変数ａは、印画率パターンＩｍの番号を示し、０からｎまでの整数である。以下では、図７と同一のステップにおける処理の説明を省略する。
【０１２６】
ＣＰＵ４１は、ａ番目の印画率パターンＩｍの対応画像及びトンボＭ１をｂ番目の画像記録設定に基づいて記録媒体Ｐの表面に記録させる（ステップＳ１０４ａ）。
【０１２７】
ＣＰＵ４１は、記録媒体Ｐの表面に記録された対応画像及びトンボＭ１が画像読取部２６により撮像されると、トンボＭ１の撮像データを参照して見当ずれ量を算出しＲＡＭ４２に記憶させる（ステップＳ１０９ａ）。ここでは、第１の実施形態における見当ずれ量の算出方法において、トンボＭ２の座標ｐ５，ｐ６，ｐ７，ｐ８が所定の基準位置であるものとして見当ずれ量が算出される。ここで、所定の基準位置は、記録媒体Ｐの収縮がなかった場合におけるトンボＭ２の位置とすることができる。
【０１２８】
ＣＰＵ４１（第１の設定手段）は、ステップＳ１１０において変数ｂが８であると判別された場合、即ち、ａ番目の印画率パターンに係る全ての画像記録設定について検討ずれ量が算出されたと判別された場合に（ステップＳ１１０で“Ｙｅｓ”）、ａ番目の印画率パターンに対応する画像記録設定を決定する（ステップＳ１１１ａ）。画像記録設定の決定方法は、第１の実施形態と同様である。また、本実施形態では、（Δｘ１−Δｘ３），（Δｘ２−Δｘ４），（Δｙ１−Δｙ２），（Δｙ２−Δｙ４）の和の値が最も小さくなる画像記録設定が、対応画像記録領域の変形が最も抑制される画像記録設定となる。
【０１２９】
ＣＰＵ４１は、変数ａがｎであるか否か（即ち、全ての印画率パターンＩｍについてのステップＳ１１１ａまでの処理が完了したか否か）を判別する（ステップＳ１１２ａ）。変数ａがｎ未満であると判別された場合には（ステップＳ１１２ａで“Ｎｏ”）、ＣＰＵ４１は、処理をステップＳ１０２に移行させる。
変数ａがｎであると判別された場合には（ステップＳ１１２で“Ｙｅｓ”）、ＣＰＵ４１は、画像記録設定決定処理を終了させる。
【０１３０】
図１２は、第２の実施形態に係る画像記録処理の制御手順を示すフローチャートである。このフローチャートは、図８に示される第１の実施形態に係る画像記録設定決定処理におけるステップＳ２０１、ステップＳ２０２をステップＳ２０１ａ、ステップＳ２０２ａに変更したものである。以下では、図８と同一のステップにおける処理の説明を省略する。
【０１３１】
ＣＰＵ４１は、プリントジョブに係る次に記録媒体Ｐの表面に記録される第１の記録画像が何れの印画率パターンＩｍに対応するかを判定する（ステップＳ２０１ａ：判定ステップ）。即ち、ＣＰＵ４１は、第１の記録画像に係る画像データから、第１の記録画像のうち上述した４つの区分領域に各々対応する部分の印画率を取得し、各部分の印画率がｎ通りの印画率パターンＩｍのうち何れに対応するかに基づいて、第１の記録画像が何れの印画率パターンＩｍに対応するかを判定する。
【０１３２】
ＣＰＵ４１は、判定された印画率パターンＩｍに対応する画像記録設定を選択して取得し、当該画像記録設定を示す情報を操作表示部５２により表示させる（ステップＳ２０２ａ）。
以下、選択された画像記録設定に基づいて、第１の実施形態と同様に記録媒体Ｐの表面及び裏面にそれぞれ第１の記録画像及び第２の記録画像が記録される。
【０１３３】
以上のように、本実施形態に係るインクジェット記録装置１では、ＣＰＵ４１は、記録対象の第１の記録画像及び第２の記録画像のうち第１の記録画像が何れの印画率パターンに対応するかを判定し（判定手段）、この判定結果に応じて、予め定められた複数の画像記録設定のうち一の画像記録設定を選択し（選択手段）、選択された画像記録設定に基づいて、ヘッドユニット２４により第１の記録画像を記録媒体Ｐの一方の面に記録させ、第２の記録画像を当該記録媒体Ｐの他方の面に記録させる（記録制御手段）。このような構成によれば、より簡易な方法で、第１の記録画像が記録された記録領域の画像記録時における変形を抑制することが可能な適切な画像記録設定を選択することができる。また、複合印画率パターンより数が少ない印画率パターンに対応して画像記録設定が定められていれば良いため、記憶部４４の画像記録設定データ４４ａのデータ量を低減させることができる。また、第１の記録画像と印画率パターンとの対応を判定することにより画像記録設定を選択することが可能なため、画像記録処理を簡略化することができ、また、より短時間で記録画像の記録を行うことができる。
【０１３４】
また、ＣＰＵ４１は、複数の記録媒体Ｐの各々に対して、互いに異なる画像記録設定に基づいて、対応画像と、対応画像記録領域の範囲を示すトンボＭ１とをヘッドユニット２４により記録させ（記録制御手段）、複数の記録媒体Ｐにそれぞれ記録されたトンボＭ１の画像読取部２６による読み取り結果に基づいて、対応画像に係る印画率パターンに対応する画像記録設定を定め（第１の設定手段）、第１の記録画像が対応すると判定された印画率パターンに対応する画像記録設定を、判定結果に応じた画像記録設定として選択する（選択手段）。このような構成によれば、インクジェット記録装置１において、印画率パターンに対応する適切な画像記録設定を定めることができる。
【０１３５】
また、本実施形態に係る画像記録方法は、複数の記録媒体Ｐの各々に対して、互いに異なる画像記録設定に基づいて、対応画像と、対応画像が記録される記録領域の範囲を示すトンボＭ１とを記録させる第２の画像記録ステップ、複数の記録媒体Ｐにそれぞれ記録されたトンボＭ１を読み取る第１の読取ステップ、第１の読取ステップにおける読み取り結果に基づいて対応画像に係る印画率パターンに対応する画像記録設定を定める第１の設定ステップ、を含み、第２の画像記録ステップ、第１の読取ステップ及び第１の設定ステップは、判定ステップの前に行われ、選択ステップでは、第１の記録画像が対応すると判定された印画率パターンに対応する画像記録設定を、判定結果に応じた画像記録設定として選択する。このような構成によれば、インクジェット記録装置１において、印画率パターンに対応する適切な画像記録設定を定めることができる。
【０１３６】
（第３の実施形態）
続いて本発明の第３の実施形態について説明する。本実施形態の画像記録設定決定処理では、何れかの画像記録設定に基づいて、記録対象の第１の記録画像及びトンボＭ１（第１の記録画像範囲標識）を記録媒体Ｐの表面に記録し、また記録対象の第２の画像及びトンボＭ２（第２の記録画像範囲標識）を裏面に記録し、当該第１の記録画像、第２の記録画像、及びトンボＭ１，Ｍ２の記録を、複数の異なる画像記録設定に基づいて複数の記録媒体Ｐに対して行う。そして、当該複数の記録媒体Ｐに記録されたトンボＭ１，Ｍ２の読み取り結果に基づいて、記録対象の第１の記録画像及び第２の記録画像の組み合わせに対して最適な一の画像記録設定を決定する。そして、画像記録処理では、上記のように決定された画像記録設定に基づいて第１の記録画像、第２の記録画像が記録される。その他の点については、第１の実施形態と同様であり、以下では、上記第１の実施形態との相違点について説明する。
【０１３７】
図１３は、第３の実施形態に係る画像記録設定決定処理の制御手順を示すフローチャートである。このフローチャートは、図７に示される第１の実施形態に係る画像記録設定決定処理から、ステップＳ１０２、及びステップＳ１１２の処理を削除し、ステップＳ１０１、ステップＳ１０４、ステップＳ１０７、及びステップＳ１１１の処理をそれぞれステップＳ１０１ｂ、ステップＳ１０４ｂ、ステップＳ１０７ｂ、及びステップＳ１１１ｂに変更したものである。以下では、図７と同一のステップにおける処理の説明を省略する。
【０１３８】
画像記録設定決定処理が開始されると、ＣＰＵ４１は、変数ｂに０を代入する（ステップＳ１０１ｂ）。
【０１３９】
ＣＰＵ４１は、第１の記録画像及びトンボＭ１を、ｂ番目の画像記録設定に基づいて記録媒体Ｐの表面に記録する（ステップＳ１０４ｂ）。また、ＣＰＵ４１は、第２の記録画像及びトンボＭ２を、ｂ番目の画像記録設定に基づいて記録媒体Ｐの裏面に記録する（ステップＳ１０７ｂ）。
【０１４０】
ＣＰＵ４１は、ステップＳ１１０において変数ｂが８であると判別された場合、即ち、全ての画像記録設定について検討ずれ量が算出されたと判別された場合に（ステップＳ１１０で“Ｙｅｓ”）、第１の記録画像及び第２の記録画像に対応する画像記録設定を決定する（ステップＳ１１１ｂ）。画像記録設定の決定方法は、第１の実施形態と同様である。
【０１４１】
図１４は、第３の実施形態に係る画像記録処理の制御手順を示すフローチャートである。このフローチャートは、図８に示される第１の実施形態に係る画像記録設定決定処理からステップＳ２０１の処理を削除し、ステップＳ２０２の処理をステップＳ２０２ｂに変更したものである。
本実施形態に係る画像記録処理では、ＣＰＵ４１は、画像記録設定決定処理で決定された第１の記録画像及び第２の記録画像に最適な画像記録設定を取得し、当該画像記録設定を示す情報を操作表示部５２により表示させる（ステップＳ２０２）。ＣＰＵ４１は、取得された画像記録設定に応じてインクジェット記録装置１の各部の動作設定を行い、当該画像記録設定に基づいて、記録媒体Ｐへの第１の記録画像及び第２の記録画像の記録を行う（ステップＳ２０３〜ステップＳ２０７）。
【０１４２】
なお、上記に代えて、第１の記録画像及び第２の記録画像のうち第１の記録画像のみを用いて画像記録設定を決定しても良い。即ち、第１の記録画像及びトンボＭ１を、異なる画像記録設定に基づいて複数の記録媒体Ｐに記録し、この複数の記録媒体Ｐの各々に記録されたトンボＭ１の読み取り結果から、最も適切な画像記録設定を決定しても良い。このようにして決定された画像記録設定に基づいて、記録対象の第１及び第２の記録画像をそれぞれ記録媒体Ｐの表面及び裏面に記録することによっても、記録媒体Ｐの表裏における第１及び第２の記録画像の記録領域のずれを適切に抑制することができる。
【０１４３】
以上のように、本実施形態に係るインクジェット記録装置１は、記録媒体Ｐに色材を付与して画像を記録するヘッドユニット２４と、ヘッドユニット２４により記録媒体Ｐに記録された画像を読み取る画像読取部２６と、記録対象の第１の記録画像と、ＣＰＵ４１とを備え、ＣＰＵ４１は、記録媒体Ｐにおける第１の記録画像が記録される第１の記録画像記録領域の範囲を示すトンボＭ１とを、ヘッドユニット２４により複数の記録媒体Ｐ上にそれぞれ互いに異なる画像記録設定に基づいて記録させ（記録制御手段）、複数の記録媒体Ｐにそれぞれ記録されたトンボＭ１の画像読取部２６による読み取り結果に基づいて一の画像記録設定を定め（設定手段）、上記一の画像記録設定は、第１の記録画像がヘッドユニット２４により記録媒体Ｐ上に記録される場合における第１の記録画像記録領域の変形が所定の条件を満たすように定められ、ＣＰＵ４１は、上記一の画像記録設定に基づいて、ヘッドユニット２４により第１の記録画像を記録媒体Ｐの一方の面に記録させ、ヘッドユニット２４により記録対象の第２の記録画像を当該記録媒体Ｐの裏面に記録させる（記録制御手段）。このような構成によれば、記録対象である第１の記録画像を用いて画像記録設定を決定するため、第１の記録画像の記録領域の画像記録時における変形をより適切に抑制することが可能な画像記録設定を定めて第１及び第２の記録画像を記録することができる。これにより、記録媒体Ｐの表裏における第１及び第２の記録画像の記録領域のずれを適切に抑制することができる。また、第１の記録画像及び第２の記録画像の記録領域を一致させるために必要な第２の記録画像の補正量をより低減させることができる。
【０１４４】
また、ＣＰＵ４１は、第１の記録画像とトンボＭ１とを、ヘッドユニット２４により複数の記録媒体Ｐの一方の面にそれぞれ互いに異なる画像記録設定に基づいて記録させ、第２の記録画像と、第２の記録画像が記録される第２の記録画像記録領域の範囲を示すトンボＭ２とを、ヘッドユニット２４により複数の記録媒体Ｐの他方の面にそれぞれ互いに異なる画像記録設定に基づいて記録させ（記録制御手段）、複数の記録媒体Ｐにそれぞれ記録されたトンボＭ１，Ｍ２の画像読取部２６による読み取り結果に基づいて一の画像記録設定を定め（設定手段）、上記一の画像記録設定は、第１の記録画像がヘッドユニット２４により記録媒体Ｐの一方の面に記録され、第２の記録画像がヘッドユニット２４により当該記録媒体Ｐの他方の面に記録される場合において、第１の記録画像記録領域及び第２の記録画像記録領域の変形、並びに第１の記録画像記録領域と第２の記録画像記録領域との当該記録媒体Ｐの面に垂直な方向から見た所定の位置関係からのずれが所定の条件を満たすように定められる。このような構成によれば、記録対象である第１の記録画像及び第２の記録画像を用いて画像記録設定を決定するため、第１及び第２の記録画像の記録領域の画像記録時における変形をより適切に抑制することが可能な画像記録設定を定めて第１及び第２の記録画像を記録することができる。この結果、より適切に記録媒体Ｐの表裏における第１及び第２の記録画像の記録領域のずれを抑制することができる。また、記録媒体Ｐの他方の面に対する第２の記録画像の記録時における画像の記録領域の変形が抑制されるため、記録媒体Ｐに対する第１及び第２の記録画像の記録完了時における第１及び第２の記録画像の適正な位置及び形状からの変形を抑制することができる。
【０１４５】
なお、本発明は、上記各実施形態及び各変形例に限られるものではなく、様々な変更が可能である。
例えば、上記第１及び第２の実施形態では、全ての複合印画率パターン（第２の実施形態では全ての第１の印画率パターン）について、複数の画像記録設定で第１及び第２の対応画像、及びトンボＭ１，Ｍ２を記録して見当ずれ量を算出し、画像記録設定を決定する例を用いて説明したが、これに限定する趣旨ではない。例えば、一部の複合印画率パターン（第１の印画率パターン）について上記見当ずれ量の算出を行い、他の複合印画率パターン（第１の印画率パターン）については類似する複合印画率パターン（第１の印画率パターン）において決定された画像記録設定から推定することにより画像記録設定を決定しても良い。
【０１４６】
また、上記各実施形態及び変形例では、各複合印画率パターン（第２の実施形態では第１の印画率パターン、第３の実施形態では第１及び第２の記録画像）に対応する画像記録設定の決定に際し、全ての画像記録設定で第１及び第２の対応画像、及びトンボＭ１，Ｍ２（第２の実施形態では第１の対応画像及びトンボＭ１、第３の実施形態では第１及び第２の記録画像及びトンボＭ１，Ｍ２）を記録してその読取結果に基づいて見当ずれ量を算出する例を用いて説明したが、これに限定する趣旨ではない。例えば、一部の画像記録設定について上記読取結果に基づく見当ずれ量の算出を行い、他の画像記録設定に係る見当ずれ量については類似する画像記録設定において算出された見当ずれ量から推定しても良い。
【０１４７】
また、上記各実施形態及び変形例では、印画率パターンＩｍが、２行２列の区分領域における印画率を規定する例を用いて説明したが、印画率パターンＩｍは、２行１列や３行３列など、２行２列以外の態様で区分された区分領域における印画率を規定するものであっても良い。
【０１４８】
また、上記各実施形態及び変形例では、印画率パターンＩｍが、各区分領域における印画率の範囲を規定する例を用いて説明したが、印画率パターンは、記録媒体Ｐの画像記録領域における印画率の分布を他の方法で規定するものであっても良い。
【０１４９】
また、上記各実施形態及び変形例における画像記録設定決定処理を、異なる種別の記録媒体に対してそれぞれ行って、記録媒体の種別ごとに記憶部４４に画像記録設定データ４４ａを記憶させても良い。この場合は、画像記録処理において、画像を記録する記録媒体の種別に応じた画像記録設定データを参照して画像の記録を行えば良い。これにより、記録媒体の種別に応じた記録媒体の収縮量を反映した画像記録設定で画像の記録を行うことができ、より適切に記録媒体の表裏における画像の記録領域のずれを抑制することができる。
【０１５０】
また、上記各実施形態及び変形例では、第２の記録画像に係る画像データを補正することにより第１の記録画像の記録領域と第２の記録画像の記録領域と記録媒体Ｐの表裏で一致させる例を用いて説明したが、これに限定する趣旨ではない。例えば、記録媒体Ｐの搬送方向に係る平行移動については、記録媒体Ｐに対してインクを吐出するタイミングを調整することにより行っても良い。
【０１５１】
また、上記各実施形態及び変形例では、画像記録設定に含まれる設定として、画像の向きの設定、記録画像の向きの設定、表裏記録順に含まれる設定、及び割り付け順序に係る設定を例に挙げて説明したが、これに限定する趣旨ではなく、記録画像の記録領域の変形量に影響する他の設定が含まれていても良い。
【０１５２】
また、上記各実施形態及び変形例では、見当ずれ量が関係式（Δｘ１−Δｘ３）≦Ｘ，（Δｘ２−Δｘ４）≦Ｘ，（Δｙ１−Δｙ２）≦Ｙ，（Δｙ２−Δｙ４）≦Ｙを全て満たしているか否かに基づいて画像記録設定を決定する例を用いて説明したが、これ以外の関係式に基づいて画像記録設定を決定しても良い。例えば、見当ずれ量が関係式（Δｘ４−Δｘ１）≦Ｘ，（Δｘ３−Δｘ１）≦Ｘ，（Δｘ２−Δｘ１）≦Ｘ，（Δｙ４−Δｙ１）≦Ｙ，（Δｙ３−Δｙ１）≦Ｙ，（Δｙ２−Δｙ１）≦Ｙを全て満たしているか否かに基づいて画像記録設定を決定しても良い。
【０１５３】
また、上記各実施形態及び変形例では、記録画像範囲標識、対応画像範囲標識の例として十字形状の複数のトンボＭ１，Ｍ２を例に挙げて説明したが、これに限定する趣旨ではない。例えば、記録画像範囲標識、対応画像範囲標識は、Ｌ字形状といった線分の組み合わせの他、矩形、多角形、円形などの図形、記号、又はこれらの組み合わせなどであってもよい。また、画像の記録領域を囲む矩形状の標識としても良い。
【０１５４】
また、上記各実施形態及び変形例では、インクジェット記録装置１が備える反転部２８により記録媒体Ｐの表裏を反転させる例を用いて説明したが、これに代えて、インクジェット記録装置１の外部に設けられた他の反転装置によって記録媒体Ｐの表裏を反転させても良く、また記録媒体Ｐの表裏を人の手により反転させても良い。
【０１５５】
また、上記各実施形態及び変形例では、インクジェット記録装置１が画像読取部２６を備える例を用いて説明したが、これに代えて、インクジェット記録装置１の外部に別個に設けられた画像読取装置により記録媒体Ｐに記録された画像の読み取りを行っても良い。
【０１５６】
また、上記各実施形態では、シングルパス形式のインクジェット記録装置１を例に挙げて説明したが、ヘッドユニットを走査させながら画像の記録を行うインクジェット記録装置に本発明を適用しても良い。
【０１５７】
また、上記各実施形態及び変形例では、画像記録装置として圧電素子を用いたピエゾ方式のインクジェット方式のインクジェット記録装置１を例に挙げて説明したが、これに限定する趣旨ではない。例えば、加熱によりインクに気泡を生じさせてインクを吐出するサーマル方式のインクジェット記録装置、感光体ドラム上に色材としてのトナー粒子による像を形成して記録媒体に転写する乾式電子写真方式の画像記録装置といった種々の方式の画像記録装置に本発明を適用することができる。
【０１５８】
本発明のいくつかの実施形態を説明したが、本発明の範囲は、上述の実施の形態に限定されるものではなく、特許請求の範囲に記載された発明の範囲とその均等の範囲を含む。
【符号の説明】
【０１５９】
１  インクジェット記録装置
２  外部装置
１０  給紙部
１１  給紙トレー
１２  媒体供給部
２０  画像記録部
２１  搬送ドラム
２２  受け渡しユニット
２３  加熱部
２４  ヘッドユニット
２４１  記録ヘッド駆動部
２４２  記録ヘッド
２４３  ノズル
２５  定着部
２６  画像読取部
２７  デリバリー部
２８  反転部
３０  排紙部
３１  排紙トレー
４０  制御部
４４  記憶部
４４ａ  画像記録設定データ
５１  搬送駆動部
５２  操作表示部
５３  入出力インターフェース
５４  バス
Ｉｍ  印画率パターン
Ｍ１，Ｍ２  トンボ
Ｐ  記録媒体
Ｒ０，ＲＬ，ＲＭ，ＲＨ  区分領域
ｒ１  第１の対応画像記録領域
ｒ２  第２の対応画像記録領域
【図１】
2017105073.tif 000003
【図２】
2017105073.tif 000004
【図３】
2017105073.tif 000005
【図４】
2017105073.tif 000006
【図５】
2017105073.tif 000007
【図６】
2017105073.tif 000008
【図７】
2017105073.tif 000009
【図８】
2017105073.tif 000010
【図９】
2017105073.tif 000011
【図１０】
2017105073.tif 000012
【図１１】
2017105073.tif 000013
【図１２】
2017105073.tif 000014
【図１３】
2017105073.tif 000015
【図１４】
2017105073.tif 000016